(57)【要約】【課題】複数の設備機器を合理的に管理し得る管理画面を提供する機器管理装置を提供する。【解決手段】親コントローラ３０は、第１表示制御部３２ｄと、条件判定部３２ｃとを備え、複数の単位空間からなる建物１ａ，１ｂ，・・・内に散在する複数の室内ユニット１０ａ，１０ｂ，・・・を管理する管理画面を提供する。第１表示制御部３２ｄは、管理画面上に、建物１ａ，１ｂ，・・・に対応するオブジェクトＯ２および単位空間に対応するオブジェクトＯ３をツリー構造Ｔとなるように表示する。条件判定部３２ｃは、室内ユニット１０ａ，１０ｂ，・・・が所定の条件に合致するか否かを判定する。第１表示制御部３２ｄは、オブジェクトＯ２の形態を、当該オブジェクトＯ２に対応する単位空間内の室内ユニット１０ａ，１０ｂ，・・・が所定の条件に合致するか否かの条件判定部３２ｃによる判定の結果に応じて変化させる。【選択図】図９
2010009568.tif 000002
【特許請求の範囲】
【請求項１】
複数の下位空間からなる上位空間内に散在する複数の設備機器（１０ａ，１０ｂ，・・・）を管理する管理画面を提供する機器管理装置（３０）であって、
前記管理画面上に、前記上位空間に対応する上位オブジェクト（Ｏ１，Ｏ２）および前記下位空間に対応する下位オブジェクト（Ｏ２，Ｏ３）をツリー構造（Ｔ）となるように表示する第１表示制御部（３２ｄ）と、
前記設備機器が所定の条件（Ｃ１，Ｃ２，・・・）に合致するか否かを判定する条件判定部（３２ｃ）と、
を備え、
前記第１表示制御部は、前記下位オブジェクトの形態を、当該下位オブジェクトに対応する前記下位空間内の前記設備機器が前記所定の条件に合致するか否かの前記条件判定部による判定の結果に応じて変化させる、
機器管理装置（３０）。
【請求項２】
前記管理画面上に、前記ツリー構造（Ｔ）とともに、前記ツリー構造上で選択されている前記上位オブジェクト（Ｏ１，Ｏ２）に対応する前記上位空間又は前記下位オブジェクト（Ｏ２，Ｏ３）に対応する前記下位空間の模式図を表示する第２表示制御部（３２ｅ）、
をさらに備える、
請求項１に記載の機器管理装置（３０）。
【請求項３】
前記模式図は、前記上位空間又は前記下位空間の見取図上に前記設備機器（１０ａ，１０ｂ，・・・）に対応する機器オブジェクト（Ｏ６）を配置したものである、
請求項２に記載の機器管理装置（３０）。
【請求項４】
前記機器オブジェクト（Ｏ６）は、当該機器オブジェクトに対応する前記設備機器（１０ａ，１０ｂ，・・・）の詳細情報へのリンクである、
請求項３に記載の機器管理装置（３０）。
【請求項５】
前記第１表示制御部（３２ｄ）は、前記下位オブジェクト（Ｏ２，Ｏ３）の形態を、当該下位オブジェクトに対応する前記下位空間内の少なくとも１つの前記設備機器（１０ａ，１０ｂ，・・・）が前記所定の条件（Ｃ１，Ｃ２，・・・）に合致するか否かの前記条件判定部（３２ｃ）による判定の結果に応じて変化させる、
請求項１から４のいずれかに記載の機器管理装置（３０）。
【請求項６】
前記第１表示制御部（３２ｄ）は、前記上位オブジェクト（Ｏ１，Ｏ２）の形態を、当該上位オブジェクトに対応する前記上位空間内の前記設備機器（１０ａ，１０ｂ，・・・）が前記所定の条件（Ｃ１，Ｃ２，・・・）に合致するか否かの前記条件判定部（３２ｃ）による判定の結果に応じて変化させる、
請求項１から５のいずれかに記載の機器管理装置（３０）。
【請求項７】
前記第１表示制御部（３２ｄ）は、前記上位オブジェクト（Ｏ１，Ｏ２）の形態を、当該上位オブジェクトに対応する前記上位空間内の少なくとも１つの前記設備機器（１０ａ，１０ｂ，・・・）が前記所定の条件（Ｃ１，Ｃ２，・・・）に合致するか否かの前記条件判定部（３２ｃ）による判定の結果に応じて変化させる、
請求項６に記載の機器管理装置（３０）。
【請求項８】
前記所定の条件（Ｃ１，Ｃ２，・・・）は、除外条件と抽出条件とを組み合わせたものであり、
前記条件判定部（３２ｃ）は、前記除外条件に合致せず、かつ、前記抽出条件に合致する前記設備機器（１０ａ，１０ｂ，・・・）を前記所定の条件に合致するものと判定する、
請求項１から７のいずれかに記載の機器管理装置（３０）。
【請求項９】
前記除外条件の設定入力を受け付ける設定入力部（３４）、
をさらに備える、
請求項８に記載の機器管理装置（３０）。
【請求項１０】
制御ロジック（Ｌ１，Ｌ２，・・・）を記憶するロジック記憶部（３５）と、
前記設備機器（１０ａ，１０ｂ，・・・）が前記所定の条件（Ｃ１，Ｃ２，・・・）に合致するか否かの判定の結果に応じて前記条件判定部（３２ｃ）が出力する信号をトリガとして前記制御ロジックを実行するロジック実行部（３２ｇ）と、
をさらに備える、
請求項１から９のいずれかに記載の機器管理装置（３０）。
【請求項１１】
前記設備機器（１０ａ，１０ｂ，・・・）のそれぞれの機器名称を記憶する名称記憶部（３５ｂ）、
をさらに備え、
前記第１表示制御部（３２ｃ）は、前記ツリー構造（Ｔ）を前記名称記憶部内の前記機器名称を参照して、自動的に作成する、
請求項１から１０のいずれかに記載の機器管理装置（３０）。
【請求項１２】
前記所定の条件は、優先順位が定義されている複数の条件式（Ｃ１，Ｃ２，・・・）を含み、
前記第１表示制御部（３２ｄ）は、前記下位オブジェクト（Ｏ２，Ｏ３）の形態を、当該下位オブジェクトに対応する前記下位空間内の前記設備機器（１０ａ，１０ｂ，・・・）が複数の前記条件式に合致すると前記条件判定部（３２ｃ）により判定される場合には、当該合致する前記条件式のうち前記優先順位の高いものに対応する表示形式とする、
請求項１から７のいずれかに記載の機器管理装置（３０）。
【請求項１３】
前記所定の条件は、優先順位が定義されている複数の条件式（Ｃ１，Ｃ２，・・・）を含み、
前記第１表示制御部（３２ｄ）は、前記上位オブジェクト（Ｏ１，Ｏ２）の形態を、当該上位オブジェクトに対応する前記上位空間内の前記設備機器（１０ａ，１０ｂ，・・・）が複数の前記条件式に合致すると前記条件判定部（３２ｃ）により判定される場合には、当該合致する前記条件式のうち前記優先順位の高いものに対応する表示形式とする、
請求項６又は７に記載の機器管理装置（３０）。
【請求項１４】
前記優先順位の設定入力を受け付ける設定入力部（３４）、
をさらに備える、
請求項１２又は１３に記載の機器管理装置（３０）。
【請求項１５】
前記管理画面を要求する要求元を特定する要求元特定部（３２）と、
前記所定の条件を前記要求元に関連付けて記憶する条件式記憶部（３５）と、
をさらに備え、
前記第１表示制御部（３２ｄ）は、前記要求元特定部により特定された前記要求元に提供する前記管理画面上における前記下位オブジェクトの形態を、当該下位オブジェクトに対応する前記下位空間内の前記設備機器が、当該要求元に関連付けられている前記所定の条件に合致するか否かの前記条件判定部（３２ｃ）による判定の結果に応じて変化させる、
請求項１から１４のいずれかに記載の機器管理装置（３０）。
【発明の詳細な説明】
【技術分野】
【０００１】
本発明は、複数の設備機器を管理する管理画面を提供する機器管理装置に関する。
【背景技術】
【０００２】
従来より、１の施設内の複数の設備機器（空調設備の複数の室内ユニット等）が１の管理画面を介して集中的に管理されることがある（特許文献１）。かかる施設としては、一般家庭から、オフィスビル、さらには複数の建物群からなる大学、病院等、大小様々な規模の施設がある。
【特許文献１】特開２００５−３０８２７８号公報
【発明の開示】
【発明が解決しようとする課題】
【０００３】
しかしながら、施設の規模が大きくなり、管理対象となる設備機器の数が増してくると、１の管理画面で管理し得る管理内容は限られてくることになる。従って、例えば、ある設備機器に異常等が発生していたとしても、管理画面を操作している管理者には、その情報が迅速かつ正確に伝わらないといった問題も発生し得る。かかる問題を回避するためには、管理画面が適切に設計されている必要がある。
【０００４】
本発明の課題は、複数の設備機器を合理的に管理し得る管理画面を提供する機器管理装置を提供することにある。
【課題を解決するための手段】
【０００５】
第１発明に係る機器管理装置は、第１表示制御部と、条件判定部とを備え、複数の下位空間からなる上位空間内に散在する複数の設備機器を管理する管理画面を提供する。第１表示制御部は、管理画面上に、上位空間に対応する上位オブジェクトおよび下位空間に対応する下位オブジェクトをツリー構造となるように表示する。条件判定部は、設備機器が所定の条件に合致するか否かを判定する。第１表示制御部は、下位オブジェクトの形態を、当該下位オブジェクトに対応する下位空間内の設備機器が所定の条件に合致するか否かの条件判定部による判定の結果に応じて変化させる。なお、ツリー構造は、現実の物理的な空間構造を反映するものであってもよいし、論理的な空間構造を反映するものであってもよい。
【０００６】
ここでは、複数の設備機器の設置される空間（上位空間）が、当該空間およびその複数のサブ空間（下位空間）にそれぞれ対応するオブジェクトを要素とするツリー構造として表現される。そして、下位空間に対応するオブジェクト（下位オブジェクト）の形態が、当該下位空間内の設備機器の状態に応じて変化する。従って、管理画面を見た管理者は、下位オブジェクトの形態により、設備機器の状態を直感的に理解することができる。これにより、複数の設備機器を合理的に管理することができる。
【０００７】
なお、機器管理装置による管理画面の提供の態様としては、当該機器管理装置の表示部上に表示される場合の他、当該機器管理装置に接続される他の装置の表示部上に表示される場合が含まれる。
【０００８】
第２発明に係る機器管理装置は、第１発明に係る機器管理装置であって、第２表示制御部をさらに備える。第２表示制御部は、管理画面上に、ツリー構造とともに、ツリー構造上で選択されている上位オブジェクトに対応する上位空間又は下位オブジェクトに対応する下位空間の模式図を表示する。
【０００９】
ここでは、ツリー構造とともに、ツリー構造上で選択中の空間（上位空間又は下位空間）の模式図が表示される。従って、管理者は、ツリー構造を介して所望の空間を容易に選択するとともに、模式図を介して選択中の空間の様子を直感的に理解することができる。
【００１０】
第３発明に係る機器管理装置は、第２発明に係る機器管理装置であって、模式図は、上位空間又は下位空間の見取図上に設備機器に対応する機器オブジェクトを配置したものである。
【００１１】
ここでは、ツリー構造とともに、ツリー構造上で選択中の空間（上位空間又は下位空間）の見取図が表示され、当該見取図上には、設備機器に対応するオブジェクト（機器オブジェクト）が配置される。従って、管理者は、ツリー構造を介して所望の空間を容易に選択するとともに、模式図を介して選択中の空間内の設備機器の様子を直感的に理解することができる。
【００１２】
第４発明に係る機器管理装置は、第３発明に係る機器管理装置であって、機器オブジェクトは、当該機器オブジェクトに対応する設備機器の詳細情報へのリンクである。
【００１３】
ここでは、空間の見取図上で設備機器に対応するオブジェクト（機器オブジェクト）を選択した管理者は、当該設備機器の詳細情報に導かれるようになっている。従って、管理者は、設備機器の様子を詳細に把握することができる。
【００１４】
第５発明に係る機器管理装置は、第１発明から第４発明のいずれかに係る機器管理装置であって、第１表示制御部は、下位オブジェクトの形態を、当該下位オブジェクトに対応する下位空間内の少なくとも１つの設備機器が所定の条件に合致するか否かの条件判定部による判定の結果に応じて変化させる。
【００１５】
ここでは、下位オブジェクトの形態が、当該下位空間内の複数の設備機器のうち、少なくとも１つの設備機器が所定の条件を満たすか否かの結果に応じて変化する。従って、管理者は、下位空間内の複数の設備機器の状態を１の下位オブジェクトの形態により合理的に把握することができる。
【００１６】
第６発明に係る機器管理装置は、第１発明から第５発明のいずれかに係る機器管理装置であって、第１表示制御部は、上位オブジェクトの形態を、当該上位オブジェクトに対応する上位空間内の設備機器が所定の条件に合致するか否かの条件判定部による判定の結果に応じて変化させる。
【００１７】
ここでは、上位空間に対応するオブジェクト（上位オブジェクト）の形態が、当該上位空間内の設備機器の状態に応じて変化する。従って、管理者は、上位オブジェクトの形態により、設備機器の状態を直感的に理解することができる。
【００１８】
第７発明に係る機器管理装置は、第６発明に係る機器管理装置であって、第１表示制御部は、上位オブジェクトの形態を、当該上位オブジェクトに対応する上位空間内の少なくとも１つの設備機器が所定の条件に合致するか否かの条件判定部による判定の結果に応じて変化させる。
【００１９】
ここでは、上位オブジェクトの形態が、当該上位空間内の複数の設備機器のうち、少なくとも１台の設備機器が所定の条件を満たすか否かの結果に応じて変化する。従って、管理者は、上位空間内の複数の設備機器の状態を１の上位オブジェクトの形態により合理的に把握することができる。
【００２０】
第８発明に係る機器管理装置は、第１発明から第７発明のいずれかに係る機器管理装置であって、所定の条件は、除外条件と抽出条件とを組み合わせたものである。条件判定部は、除外条件に合致せず、かつ、抽出条件に合致する設備機器を所定の条件に合致するものと判定する。
【００２１】
ここでは、ある条件（除外条件）を満たす設備機器が除外された上で、残りの設備機器が別のある条件（抽出条件）を満たすか否かがチェックされ、その結果が、ツリー構造に（より正確には、下位オブジェクトの形態に）反映される。これにより、より合理的な設備機器の状態のチェックが実現される。
【００２２】
第９発明に係る機器管理装置は、第８発明に係る機器管理装置であって、設定入力部をさらに備える。設定入力部は、除外条件の設定入力を受け付ける。
【００２３】
ここでは、管理者が除外条件を設定することができる。これにより、管理者は、設備機器の状態を適切にチェックすることができる。
【００２４】
第１０発明に係る機器管理装置は、第１発明から第９発明のいずれかに係る機器管理装置であって、ロジック記憶部と、ロジック実行部とをさらに備える。ロジック記憶部は、制御ロジックを記憶する。ロジック実行部は、設備機器が所定の条件に合致するか否かの判定の結果に応じて条件判定部が出力する信号をトリガとして制御ロジックを実行する。
【００２５】
ここでは、下位オブジェクトの形態を決定するための条件が満たされることをトリガとして、制御ロジックが実行される。これにより、下位オブジェクトの形態にリンクする制御を行うことができる。
【００２６】
第１１発明に係る機器管理装置は、第１発明から第１０発明のいずれかに係る機器管理装置であって、名称記憶部をさらに備える。名称記憶部は、設備機器のそれぞれの機器名称を記憶する。第１表示制御部は、ツリー構造を名称記憶部内の機器名称を参照して、自動的に作成する。
【００２７】
ここでは、例えば、機器名称を所定のルールに従って命名するだけで、ツリー構造を自動的に作成することができる。
【００２８】
第１２発明に係る機器管理装置は、第１発明から第７発明のいずれかに係る機器管理装置であって、所定の条件は、優先順位が定義されている複数の条件式を含む。第１表示制御部は、下位オブジェクトの形態を、当該下位オブジェクトに対応する下位空間内の設備機器が複数の条件式に合致すると条件判定部により判定される場合には、当該合致する条件式のうち優先順位の高いものに対応する表示形式とする。
【００２９】
ここでは、下位オブジェクトの形態を決定するために、設備機器の状態が複数の条件式に沿って判定される。そして、１以上の条件式に合致する場合には、当該合致する条件式のうち優先順位の高いものに対応する表示形式に従って下位オブジェクトの形態が決定される。これにより、管理者は、下位オブジェクトの形態によって設備機器のより複雑な状態を判断することができる。
【００３０】
第１３発明に係る機器管理装置は、第６発明又は第７発明に係る機器管理装置であって、所定の条件は、優先順位が定義されている複数の条件式を含む。第１表示制御部は、上位オブジェクトの形態を、当該上位オブジェクトに対応する上位空間内の設備機器が複数の条件式に合致すると条件判定部により判定される場合には、当該合致する条件式のうち優先順位の高いものに対応する表示形式とする。
【００３１】
ここでは、上位オブジェクトの形態を決定するために、設備機器の状態が複数の条件式に沿って判定される。そして、１以上の条件式に合致する場合には、当該合致する条件式のうち優先順位の高いものに対応する表示形式に従って上位オブジェクトの形態が決定される。これにより、管理者は、上位オブジェクトの形態によって設備機器のより複雑な状態を判断することができる。
【００３２】
第１４発明に係る機器管理装置は、第１２発明又は第１３発明に係る機器管理装置であって、設定入力部をさらに備える。設定入力部は、優先順位の設定入力を受け付ける。
【００３３】
ここでは、オブジェクトの形態を決定するための複数の条件式間の優先順位を、管理者が定義することができる。
【００３４】
第１５発明に係る機器管理装置は、第１発明から第１４発明のいずれかに係る機器管理装置であって、要求元特定部と、条件式記憶部とをさらに備える。要求元特定部は、管理画面を要求する要求元を特定する。条件式記憶部は、所定の条件を要求元に関連付けて記憶する。第１表示制御部は、要求元特定部により特定された要求元に提供する管理画面上における下位オブジェクトの形態を、当該下位オブジェクトに対応する下位空間内の設備機器が、当該要求元に関連付けられている所定の条件に合致するか否かの条件判定部による判定の結果に応じて変化させる。
【００３５】
ここでは、機器管理装置にアクセスする要求元ごとに所定の条件を定義可能である。従って、異なる要求元に対し、異なる表示形式の管理画面を提供可能である。
【発明の効果】
【００３６】
第１発明に係る機器管理装置では、管理画面を見た管理者は、下位オブジェクトの形態により、設備機器の状態を直感的に理解することができる。これにより、複数の設備機器を合理的に管理することができる。
【００３７】
第２発明に係る機器管理装置では、管理者は、ツリー構造を介して所望の空間を容易に選択するとともに、模式図を介して選択中の空間の様子を直感的に理解することができる。
【００３８】
第３発明に係る機器管理装置では、管理者は、ツリー構造を介して所望の空間を容易に選択するとともに、模式図を介して選択中の空間内の設備機器の様子を直感的に理解することができる。
【００３９】
第４発明に係る機器管理装置では、管理者は、設備機器の様子を詳細に把握することができる。
【００４０】
第５発明に係る機器管理装置では、管理者は、下位空間内の複数の設備機器の状態を１の下位オブジェクトの形態により合理的に把握することができる。
【００４１】
第６発明に係る機器管理装置では、管理者は、上位オブジェクトの形態により、設備機器の状態を直感的に理解することができる。
【００４２】
第７発明に係る機器管理装置では、管理者は、上位空間内の複数の設備機器の状態を１の上位オブジェクトの形態により合理的に把握することができる。
【００４３】
第８発明に係る機器管理装置では、より合理的な設備機器の状態のチェックが実現される。
【００４４】
第９発明に係る機器管理装置では、管理者は、設備機器の状態を適切にチェックすることができる。
【００４５】
第１０発明に係る機器管理装置では、下位オブジェクトの形態にリンクする制御を行うことができる。
【００４６】
第１１発明に係る機器管理装置では、例えば、機器名称を所定のルールに従って命名するだけで、ツリー構造を自動的に作成することができる。
【００４７】
第１２発明に係る機器管理装置では、管理者は、下位オブジェクトの形態によって設備機器のより複雑な状態を判断することができる。
【００４８】
第１３発明に係る機器管理装置では、管理者は、上位オブジェクトの形態によって設備機器のより複雑な状態を判断することができる。
【００４９】
第１４発明に係る機器管理装置では、オブジェクトの形態を決定するための複数の条件式間の優先順位を、管理者が定義することができる。
【００５０】
第１５発明に係る機器管理装置では、異なる要求元に対し、異なる表示形式の管理画面を提供可能である。
【発明を実施するための最良の形態】
【００５１】
以下、図面を参照して、本発明の実施形態に係る親コントローラ３０（機器管理装置）を含む群管理システム１００について説明する。
【００５２】
＜第１実施形態＞
（１）全体構成
図１に示す群管理システム１００は、施設１内に設置されている空調設備１０（設備機器）を管理するためのシステムである。施設１は、その広大な敷地内に複数の建物１ａ，１ｂ，・・・を有する大学である。建物１ａ，１ｂ，・・・内には、それぞれ空調設備１０に含まれる室内ユニット１０ａ，１０ｂ，・・・が複数台ずつ設置されている。同じ建物１ａ，１ｂ，・・・内の複数台の室内ユニット１０ａ，１０ｂ，・・・は、それぞれ群管理システム１００による管理上仮想的にまとめられ、室内ユニット群１５ａ，１５ｂ，・・・を構成している。
【００５３】
群管理システム１００は、複数の室内ユニット群１５ａ，１５ｂ，・・・をそれぞれ管理する複数の子コントローラ２０ａ，２０ｂ，・・・と、複数の子コントローラ２０ａ，２０ｂ，・・・を束ねる親コントローラ３０とを含む。子コントローラ２０ａ，２０ｂ，・・・は、それぞれ建物１ａ，１ｂ，・・・内の管理室に１台ずつ設置され、同じ建物１ａ，１ｂ，・・・内の複数台の室内ユニット１０ａ，１０ｂ，・・・に空調設備１０用の専用制御線５ｂを介して接続されている。親コントローラ３０は、建物１ａ内の管理室に子コントローラ２０ａとともに設置され、子コントローラ２０ａ，２０ｂ，・・・にローカルエリアネットワーク（以下、ＬＡＮ）５ａを介して接続されている。なお、ＬＡＮ５ａには、子コントローラ２０ａ，２０ｂ，・・・および親コントローラ３０の他、空調設備１０の管理とは直接的に関係しない、施設１内の利用者が通常業務のために使用するパーソナルコンピュータやプリンタ等のネットワーク機器（図示されない）も接続されている。
【００５４】
（２）室内ユニットの構成
以下、図２を参照しつつ、室内ユニット１０ａについて説明するが、その他の室内ユニット１０ｂ，・・・についても同様であるものとする。
【００５５】
各室内ユニット１０ａは、制御部１２を有している。同じ冷媒回路に属する室内ユニット１０ａの制御部１２どうしは、空調設備１０用の専用制御線５ｂを介して互いに接続されている。また、各制御部１２は、空調設備１０用の専用制御線５ｂを介して同じ冷媒回路に属する室外ユニット（図示されない）および子コントローラ２０ａにも接続されている。
【００５６】
各制御部１２は、リモコン１４、子コントローラ２０ａ又は親コントローラ３０を介して入力された利用者からの運転指令（例えば、室内ユニット１０ａの起動又は停止を命じたり、室内ユニット１０ａの設定温度の変更を命じたり、室内ユニット１０ａの運転モードの変更を命じたりするもの）に従って、同じ冷媒回路に属する室外ユニットの制御部（図示されない）と協調しつつ、冷媒回路に含まれる各種部品の動作を制御し、室内を冷房又は暖房する。具体的には、圧縮機の周波数、ファンの回転数および各種弁の開度の調整等を行う。なお、リモコン１４は、主として一般の利用者から室内ユニット１０ａに対する運転指令を受け付けるためものであり、室内ユニット１０ａの制御部１２に１対１、あるいは、１対多で、他のコントローラ２０ａ，３０等を介することなく直接的に接続されている。
【００５７】
各制御部１２には、温度センサ１２ａ、湿度センサ１２ｂおよびＣＯ2濃度センサ１２ｃが１対１で接続されている。温度センサ１２ａ、湿度センサ１２ｂおよびＣＯ2濃度センサ１２ｃは、室内ユニット１０ａの空気の吸い込み口付近に取り付けられており、それぞれ室内ユニット１０ａの周辺の温度、湿度およびＣＯ2濃度を検出する。
【００５８】
また、各制御部１２は、室内ユニット１０ａの運転状態に関する情報（室内ユニット１０ａの周辺の温度、湿度およびＣＯ2濃度、起動／停止等の起動状態、設定温度、ならびに、冷房／暖房／送風等の運転モードを示す情報を含む。以下、運転情報という。）を子コントローラ２０ａからの命令に応じて子コントローラ２０ａに送信する。
【００５９】
（３）子コントローラの構成
以下、図３を参照しつつ、子コントローラ２０ａについて説明するが、その他の子コントローラ２０ｂ，・・・についても同様であるものとする。
【００６０】
子コントローラ２０ａは、建物１ａ内の管理室に設置され、当該管理室に所属する管理者によって操作される。子コントローラ２０ａは、主としてＬＡＮ側通信部２１ａ、空調側通信部２１ｂ、制御部２２、表示部２３、入力部２４および記憶部２５から構成され、室内ユニット群１５ａに含まれる室内ユニット１０ａを監視および制御する。
【００６１】
ＬＡＮ側通信部２１ａは、子コントローラ２０ａをＬＡＮ５ａに接続するネットワークインターフェースであり、親コントローラ３０との間で各種信号の授受を行う。空調側通信部２１ｂは、子コントローラ２０ａを専用制御線５ｂに接続するネットワークインターフェースであり、室内ユニット１０ａとの間で各種信号の授受を行う。
【００６２】
制御部２２は、主としてＣＰＵ、ＲＯＭおよびＲＡＭから構成されており、記憶部２５に記憶されているプログラムを読み出して実行する。例えば、制御部２２は、所定の時間間隔で（本実施形態では、１分毎に）、室内ユニット群１５ａに含まれる各室内ユニット１０ａの運転情報を当該室内ユニット１０ａの制御部１２から取得し、親コントローラ３０に送信する。さらに、制御部２２は、所定の時間間隔で（本実施形態では、１分毎に）、室内ユニット１０ａの運転情報だけでなく、室外ユニットの運転状態に関する情報（圧縮機の周波数、ならびに、冷媒の温度および圧力を示す情報を含む。以下、運転情報という。）も取得する。
【００６３】
また、制御部２２は、所定の時間間隔で（本実施形態では、１分毎に）、記憶部２５内の所定の時間分の室内ユニット１０ａおよび室外ユニットの運転情報に基づき、室内ユニット１０ａおよび室外ユニットにおける異常の有無を判断する。異常と判断される場合には、その旨を直ちに表示部２３に表示させるとともに、親コントローラ３０に伝える。
【００６４】
また、制御部２２は、ＬＡＮ側通信部２１ａを介して親コントローラ３０から室内ユニット１０ａに対する運転指令を受信すると、空調側通信部２１ｂを介して当該運転指令を当該室内ユニット１０ａに送信する。
【００６５】
表示部２３は、主としてディスプレイから構成されており、入力部２４は、主として当該ディスプレイを覆うタッチパネルおよび操作ボタンから構成されている。
【００６６】
記憶部２５には、運転情報記憶領域が確保されている。当該運転情報記憶領域には、制御部２２の取得する室内ユニット１０ａおよび室外ユニットの運転情報が所定の時間分蓄積される。
【００６７】
（４）親コントローラ３０の構成
親コントローラ３０は、通常のパーソナルコンピュータであり、図４に示すように、主として通信部３１、制御部３２、表示部３３、入力部３４および記憶部３５から構成されている。親コントローラ３０は、施設１内の空調設備１０全体を管理する管理室（建物１ａ内に存在）に設置され、当該管理室に所属する統括管理者によって操作される。
【００６８】
通信部３１は、親コントローラ３０をＬＡＮ５ａに接続するネットワークインターフェースであり、子コントローラ２０ａ，２０ｂ，・・・との間で各種信号の授受を行う。
【００６９】
制御部３２は、主としてＣＰＵ、ＲＯＭおよびＲＡＭから構成されており、記憶部３５に記憶されているプログラムを読み出して実行することにより、監視部３２ａ、運転制御部３２ｂ、条件判定部３２ｃ、第１表示制御部３２ｄ、第２表示制御部３２ｅ、第３表示制御部３２ｆおよびロジック実行部３２ｇとして動作する。
【００７０】
監視部３２ａは、子コントローラ２０ａ，２０ｂ，・・・を介してそれぞれ室内ユニット１０ａ，１０ｂ，・・・の運転情報を収集する。運転制御部３２ｂは、子コントローラ２０ａ，２０ｂ，・・・を介してそれぞれ室内ユニット１０ａ，１０ｂ，・・・の制御部１２に運転指令を送信することにより、室内ユニット１０ａ，１０ｂ，・・・の運転を制御する。また、運転制御部３２ｂは、入力部３４を介しての室内ユニット１０ａ，１０ｂ，・・・の運転スケジュールの登録を受け付けており、運転スケジュールに沿って適当なタイミングで適当な運転指令を適当な室内ユニット１０ａ，１０ｂ，・・・に送信する。条件判定部３２ｃは、記憶部３５内の検索条件Ｃ１，Ｃ２，・・・（後述する）に合致する室内ユニット１０ａ，１０ｂ，・・・を検索する。第１表示制御部３２ｄ、第２表示制御部３２ｅおよび第３表示制御部３２ｆは、条件判定部３２ｃと協調しつつ、表示部３３上に表示される室内ユニット１０ａ，１０ｂ，・・・の管理画面を作成する。ロジック実行部３２ｇは、記憶部３５内の制御ロジックＬ１，Ｌ２，・・・を実行する。各部３２ａ〜３２ｇの動作の詳細については、後述する。
【００７１】
表示部３３は、主としてディスプレイから構成されており、入力部３４は、主としてマウスおよびキーボードから構成されている。
【００７２】
記憶部３５は、主としてハードディスクから構成されており、施設１全体および施設１を構成する各空間の見取図が格納される見取図データベース３５ａと、室内ユニット１０ａ，１０ｂ，・・・の基本情報が格納される基本情報データベース３５ｂと、室内ユニット１０ａ，１０ｂ，・・・の運転情報が蓄積される運転情報データベース３５ｃと、室内ユニット１０ａ，１０ｂ，・・・および室外ユニットにおける異常に関する情報（以下、異常情報）が格納される異常履歴データベース３５ｄとを有している。その他、入力部３４を介して入力された室内ユニット１０ａ，１０ｂ，・・・の運転スケジュールに関する情報も、記憶部３５内に記憶される。
【００７３】
ａ）見取図データベース
図５に示すように、見取図データベース３５ａは、階層構造を有するデータベースである。より具体的には、見取図データベース３５ａ内には、施設１全体の概略平面図、施設１を構成する建物１ａ，１ｂ，・・・の概略側面図および建物１ａ，１ｂ，・・・を構成する単位空間の概略平面図が、施設１の現実の物理的な空間構造に対応するように階層的に格納されている。すなわち、見取図データベース３５ａの階層構造上、最上位には施設１全体の概略平面図が位置付けられ、その１つ下位には建物１ａ，１ｂ，・・・の概略側面図が位置付けられ、その１つ下位つまり最下位には単位空間の概略平面図が位置付けられている。
【００７４】
単位空間の概略平面図は、壁、柱、ドア、階段等が図示された画像データである。単位空間の概略平面図を構成する各点には、２次元座標が割り当てられている。
【００７５】
見取図データベース３５ａ内の各見取図には、当該見取図がどの空間に対応するのかを示すインデックス情報が付加されている。当該インデックス情報を集合させると、施設１の現実の空間構造を示す情報になる。
【００７６】
ｂ）基本情報データベース
図６に示すように、基本情報データベース３５ｂは、「機器ＩＤ」「建物」「単位空間」「座標」「導入日」「定格電力」および「常時運転」フィールドを有する表形式のデータベースである。
【００７７】
基本情報データベース３５ｂ内のレコードは、空調設備１０に含まれる室内ユニット１０ａ，１０ｂ，・・・に１対１で対応しており、１のレコードは、１の室内ユニット１０ａ，１０ｂ，・・・の位置情報その他の属性情報を含む基本情報を記録するものである。室内ユニット１０ａ，１０ｂ，・・・の位置は、「建物」「単位空間」および「座標」フィールドの値の組み合わせにより特定される。
【００７８】
「機器ＩＤ」フィールドには、室内ユニット１０ａ，１０ｂ，・・・の機器ＩＤが格納される。「建物」フィールドには、当該室内ユニット１０ａ，１０ｂ，・・・が設置されている建物１ａ，１ｂ，・・・の名称が格納され、「単位空間」フィールドには、当該室内ユニット１０ａ，１０ｂ，・・・が設置されている単位空間の名称が格納され、「座標」フィールドには、当該室内ユニット１０ａ，１０ｂ，・・・の設置場所を示す、当該単位空間の概略平面図に割り当てられている２次元座標を基準とする座標情報が格納される。
【００７９】
「導入日」フィールドには、当該室内ユニット１０ａ，１０ｂ，・・・が施設１内に導入された日が格納され、「定格電力」フィールドには、当該室内ユニット１０ａ，１０ｂ，・・・の定格電力が格納され、「常時運転」フィールドには、コンピュータサーバルームに配置されている等の理由で、当該室内ユニット１０ａ，１０ｂ，・・・が常時運転すべきものである場合には値「１」が格納され、それ以外の場合には値「０」が格納される。
【００８０】
ｃ）運転情報データベース
図７に示すように、運転情報データベース３５ｃは、「機器ＩＤ」「時刻」「室内温度」「湿度」「ＣＯ2濃度」「起動状態」「設定温度」および「運転モード」フィールドを有する表形式のデータベースである。
【００８１】
運転情報データベース３５ｃ内の各レコードは、ある時刻におけるある室内ユニット１０ａ，１０ｂ，・・・の運転情報を記録するものである。
【００８２】
運転情報データベース３５ｃは、所定の時間間隔で（本実施形態では、１分ごとに）、監視部３２ａによって更新される。すなわち、監視部３２ａは、所定の時間間隔で（本実施形態では、１分ごとに）、子コントローラ２０ａ，２０ｂ，・・・を介してそれぞれ室内ユニット１０ａ，１０ｂ，・・・の運転情報を受信する。そして、監視部３２ａは、当該運転情報を運転情報データベース３５ｃのデータ構造に合わせて整形し、新たなレコードとして運転情報データベース３５ｃに格納する。なお、新たなレコードの「時刻」フィールドには、その元となる運転情報の受信時刻が格納される。
【００８３】
ｄ）異常履歴データベース
図８に示すように、異常履歴データベース３５ｄは、「機器ＩＤ」「発生日時」「種別」および「処置済み」フィールドを有する表形式のデータベースである。
【００８４】
監視部３２ａは、子コントローラ２０ａ，２０ｂ，・・・から室内ユニット１０ａ，１０ｂ，・・・又は室外ユニットにおける異常の通知を受け取ると、異常履歴データベース３５ｄ内に当該異常に対応するレコードを新規作成する。
【００８５】
「機器ＩＤ」フィールドには、当該異常の発生した室内ユニット１０ａ，１０ｂ，・・・又は室外ユニットの機器ＩＤが格納され、「発生日時」フィールドには、当該異常の発生日時が格納され、「種別」フィールドには、当該異常の種別が格納される。「処置済み」フィールドには、当該異常に対する処置が終了したことを示す情報が入力されると、値「処置済み」が格納されるが、当該入力がされる前は値「未処置」が格納されている。
【００８６】
（５）管理画面
図９〜図１１に示す管理画面は、統括管理者による室内ユニット１０ａ，１０ｂ，・・・の管理に供する画面であり、親コントローラ３０の第１表示制御部３２ｄ、第２表示制御部３２ｅおよび第３表示制御部３２ｆにより作成され、親コントローラ３０の表示部３３上に表示される。
【００８７】
管理画面は、主として３つの領域Ａ１〜Ａ３に分割されている。左側の領域Ａ１には、ツリー構造Ｔが表示され、中央に大きく広がる領域Ａ２には、施設１全体又は施設１を構成する空間の模式図が表示され、右側の領域Ａ３には、各種操作ボタンＢ１〜Ｂ６が表示される。左側の領域Ａ１は、第１表示制御部３２ｄにより表示制御され、中央の領域Ａ２は、第２表示制御部３２ｅにより表示制御され、右側の領域Ａ３は、第３表示制御部３２ｆにより表示制御される。
【００８８】
ａ）ツリー構造
図９〜図１１に示すように、左側の領域Ａ１内のツリー構造Ｔは、左右に並ぶ正方形のアイコンと文字とからなる複数のオブジェクトＯ１〜Ｏ３をツリー状に配列したものである。より具体的には、ツリー構造Ｔは、施設１全体に対応するオブジェクトＯ１をルートオブジェクトとし、オブジェクトＯ１から建物１ａ，１ｂ，・・・に対応するオブジェクトＯ２が分岐し、さらに各オブジェクトＯ２から単位空間に対応するオブジェクトＯ３が分岐した態様となっている。なお、オブジェクトＯ２は、建物１ａ，１ｂ，・・・に１対１で対応し、各オブジェクトＯ２から分岐するオブジェクトＯ３は、当該オブジェクトＯ２に対応する建物１ａ，１ｂ，・・・内の単位空間に１対１で対応する。第１表示制御部３２ｄは、見取図データベース３５ａを参照し、そのデータ構造のとおりにオブジェクトＯ１〜Ｏ３を配列することにより、ツリー構造Ｔを形成する。
【００８９】
各オブジェクトＯ１〜Ｏ３に含まれる文字は、見取図データベース３５ａ内のインデックス情報に基づいて決定される。すなわち、施設１全体に対応するオブジェクトＯ１に含まれる文字は、施設１全体の見取図に付加されているインデックス情報に基づいて「施設１」に決定され、建物１ａに対応するオブジェクトＯ２に含まれる文字は、建物１ａの見取図に付加されているインデックス情報に基づいて「建物１ａ」に決定され、建物１ａ内の４階北側を占める単位空間に対応するオブジェクＯ３に含まれる文字は、建物１ａ内の４階北側を占める単位空間の見取図に付加されているインデックス情報に基づいて「４階北側」に決定される。
【００９０】
各オブジェクトＯ１〜Ｏ３に含まれるアイコンは、当該オブジェクトＯ１〜Ｏ３に対応する空間（施設１全体、建物１ａ，１ｂ，・・・又は単位空間）内の室内ユニット１０ａ，１０ｂ，・・・の状態に応じて色が変わる。なお、各室内ユニット１０ａ，１０ｂ，・・・の状態は、条件判定部３２ｃにより判定される。第１表示制御部３２ｄは、当該判定の結果に応じて各アイコンに付すべき色を判断し、当該アイコンの色を変化させる。
【００９１】
より具体的には、条件判定部３２ｃは、所定の時間間隔で（本実施形態では、１分ごとに）、基本情報データベース３５ｂ、運転情報データベース３５ｃおよび異常履歴データベース３５ｄを参照し、各室内ユニット１０ａ，１０ｂ，・・・が記憶部３５内の検索条件Ｃ１，Ｃ２，・・・に合致するか否かを判断してゆく。一方、第１表示制御部３２ｄは、所定の時間間隔で（本実施形態では、１分ごとに）、各空間（施設１全体、建物１ａ，１ｂ，・・・又は単位空間）に対応するアイコンの色を決定してゆく。アイコンの色は、当該アイコンに対応する空間内の少なくとも１台の室内ユニット１０ａ，１０ｂ，・・・が検索条件Ｃ１を満たす場合には、第１色、検索条件Ｃ１を満たさないが検索条件Ｃ２を満たす場合には、第２色、というような方式で決定される。言い換えると、検索条件Ｃ１，Ｃ２，・・・には互いに異なる色が予め対応付けられており、アイコンに付される色は、合致する検索条件Ｃ１，Ｃ２，・・・に対応する色となるが、複数の検索条件Ｃ１，Ｃ２，・・・に合致する場合には、検索条件Ｃ１，Ｃ２，・・・の順で優先される。なお、いずれの検索条件Ｃ１，Ｃ２，・・・をも満たさない場合には、デフォルト色となる。
【００９２】
以上により、統括管理者は、ツリー構造Ｔのアイコンを見るだけで、当該アイコンに対応する空間内の室内ユニット１０ａ，１０ｂ，・・・に発生している異常等の事実（より正確には、当該アイコンに対応する空間内の室内ユニット１０ａ，１０ｂ，・・・の少なくとも１台が検索条件Ｃ１，Ｃ２，・・・に合致しているか否か）をすばやく察知することができる。なお、記憶部３５内の検索条件Ｃ１，Ｃ２，・・・の変更、追加および削除は、統括管理者が入力部２４を操作することにより、任意のタイミングで可能となっている。すなわち、統括管理者は、自身が監視したい事実がアイコンの色に反映されるよう、検索条件Ｃ１，Ｃ２，・・・を自由に設定することができる。
【００９３】
また、ツリー構造Ｔのアイコンの色を決定するに当たり考慮される検索条件Ｃ１，Ｃ２，・・・間の優先順位は、図１５に示される表示設定画面を介して統括管理者が変更できるようになっている。当該表示設定画面は、図９〜図１１に示す管理画面内の右側の領域Ａ３の下方に配置されている「アイコン表示設定」ボタンＢ６が押された時に、表示部３３上に開くようになっている。
【００９４】
表示設定画面上では、検索条件Ｃ１，Ｃ２，・・・の有効化、ならびに有効化されている検索条件Ｃ１，Ｃ２，・・・間の優先順位の決定を受け付けている。なお、ここでいう「有効化されている」とは、オブジェクトＯ１〜Ｏ３の色に反映されるという意味である。
【００９５】
図１５の登録済み検索条件リストＤ１には、組み込みの検索条件および別の画面を介して統括管理者により入力された検索条件が一覧表示される。統括管理者がリストＤ１の中から有効化しようとする検索条件Ｃ１，Ｃ２，・・・を選択した状態で「追加」ボタンＤ２を押すと、当該検索条件Ｃ１，Ｃ２，・・・が有効検索条件リストＤ４の最下位に追加される。反対に、有効検索条件リストＤ４に含まれている検索条件Ｃ１，Ｃ２，・・・を選択した状態で「削除」ボタンＤ３を押すと、当該検索条件Ｃ１，Ｃ２，・・・が有効検索条件リストＤ４の中から削除される。
【００９６】
有効検索条件リストＤ４内の検索条件Ｃ１，Ｃ２，・・・は、上から下に向かって優先順位の高い順番に並んでいる。当該順番は、「上げる」ボタンＤ５および「下げる」ボタンＤ６により変更可能になっている。より具体的には、ある検索条件の優先順位を上げたい場合には、有効検索条件リストＤ４内の当該検索条件を選択した状態で「上げる」ボタンＤ５を押す。一方、ある検索条件の優先順位を下げたい場合には、有効検索条件リストＤ４内の当該検索条件を選択した状態で「下げる」ボタンＤ６を押す。「上げる」ボタンＤ５または「下げる」ボタンＤ６がそれぞれ１回押されるたびに、優先順位は１つずつ変更されるようになっている。なお、有効検索条件リストＤ４内に検索条件が１つしか含まれていない場合には、優先順位を決定する必要がないため、「上げる」ボタンＤ５および「下げる」ボタンＤ６は無効化されている。
【００９７】
そして、統括管理者が表示設定画面上で編集した情報は、検索条件Ｃ１，Ｃ２，・・・の本体データに関連付けられた態様で記憶部３５内に格納される。統括管理者が表示設定画面上で編集した情報とは、登録済みの全ての検索条件Ｃ１，Ｃ２，・・・のうち有効化されているものを示す情報、ならびに有効化されている検索条件Ｃ１，Ｃ２，・・・間の優先順位を示す情報である。記憶部３５内のかかる情報は、統括管理者が表示設定画面を介して有効検索条件リストＤ４内に表示される検索条件Ｃ１，Ｃ２，・・・を編集するたびに更新される。
【００９８】
なお、「追加」「削除」「上げる」および「下げる」ボタンＤ１〜Ｄ６は、表示設定画面の上方のラジオボタンＤ７において「以下の設定を使用する」が選択されている場合にのみ操作を受け付けるボタンである。一方、ラジオボタンＤ７において「デフォルトの設定を使用する」が選択されている場合には、有効検索条件リストＤ４内に所定の検索条件Ｃ１，Ｃ２，・・・が所定の順番で表示されるとともに、ツリー構造Ｔのアイコンの色を決定するに当たり、当該検索条件Ｃ１，Ｃ２，・・・が当該順番で優先されることになる。
【００９９】
従って、第１表示制御部３２ｄは、検索条件が１つしか有効化されていない場合には、当該検索条件に合致する室内ユニット１０ａ，１０ｂ，・・・が存在している空間（施設１全体、建物１ａ，１ｂ，・・・又は単位空間）に対応するアイコンを、当該検索条件に対応する色にする。一方、検索条件が２以上有効化されており、同じ空間（施設１全体、建物１ａ，１ｂ，・・・又は単位空間）内の室内ユニット１０ａ，１０ｂ，・・・が同時に複数の検索条件に合致する場合には、当該空間に対応するアイコンを、合致する検索条件のうち最も優先順位の高いものに対応する色にする。なお、「同じ空間内の室内ユニット１０ａ，１０ｂ，・・・が同時に複数の検索条件に合致する場合」には、１台の室内ユニットが同時に複数の検索条件に合致する場合、ならびにある１台の室内ユニットがある検索条件に合致し、かつ、別の１台の室内ユニットが別の検索条件に合致する場合の両方を含むものとする。
【０１００】
また、各検索条件Ｃ１，Ｃ２，・・・は、抽出条件と、省略可能な除外条件とを組み合わせたものである。検索条件Ｃ１，Ｃ２，・・・に合致するとは、当該検索条件Ｃ１，Ｃ２，・・・に含まれる除外条件に合致せず、かつ、抽出条件に合致することを言う。
【０１０１】
検索条件Ｃ１は、除外条件が省略されており、異常が発生していることを抽出条件としている。従って、統括管理者は、アイコンの色から、室内ユニット１０ａ，１０ｂ，・・・における異常をチェックすることができる。なお、ある室内ユニット１０ａ，１０ｂ，・・・が検索条件Ｃ１に合致するか否かの判定は、条件判定部３２ｃにより、異常履歴データベース３５ｄを参照することにより行われる。
【０１０２】
その他の検索条件Ｃ２，・・・としては、例えば、以下のようなものが設定されている。
【０１０３】
第１の例としては、設定温度が２５℃より上であることを除外条件とし、室内温度が２５℃以下であり、かつ、運転中であることを抽出条件とするものが挙げられる。かかる場合、アイコンの色から、設定温度が２５℃以下と低めに設定されており、かつ、現実の室内温度が２５℃以下になっている冷やし過ぎの室内ユニット１０ａ，１０ｂ，・・・の消し忘れをチェックすることができる。なお、ある室内ユニット１０ａ，１０ｂ，・・・が当該検索条件に合致するか否かの判定は、条件判定部３２ｃにより、運転情報データベース３５ｃの「機器ＩＤ」「時刻」「室内温度」「設定温度」および「起動状態」フィールドの値を参照することにより行われる。
【０１０４】
また、第２の例としては、導入日が５年以内であることを除外条件とし、運転中であることを抽出条件とするものが挙げられる。かかる場合、アイコンの色から、５年より前に導入された古い室内ユニット１０ａ，１０ｂ，・・・の消し忘れをチェックすることができる。なお、ある室内ユニット１０ａ，１０ｂ，・・・が当該検索条件に合致するか否かの判定は、条件判定部３２ｃにより、基本情報データベース３５ｂの「機器ＩＤ」および「導入日」フィールドの値、ならびに、運転情報データベース３５ｃの「機器ＩＤ」「時刻」および「起動状態」フィールドの値を参照することにより行われる。
【０１０５】
また、第３の例としては、定格電力が所定値以下であることを除外条件とし、運転中であることを抽出条件とするものが挙げられる。かかる場合、アイコンの色から、消費電力の大きい室内ユニット１０ａ，１０ｂ，・・・の消し忘れをチェックすることができる。なお、ある室内ユニット１０ａ，１０ｂ，・・・が当該検索条件に合致するか否かの判定は、条件判定部３２ｃにより、基本情報データベース３５ｂの「機器ＩＤ」および「定格電力」フィールドの値、ならびに、運転情報データベース３５ｃの「機器ＩＤ」「時刻」および「起動状態」フィールドの値を参照することにより行われる。
【０１０６】
また、第４の例としては、常時運転用でないことを除外条件とし、停止中であることを抽出条件とするものが挙げられる。かかる場合、アイコンの色から、常時運転が要求される（例えば、コンピュータサーバルーム内の）室内ユニット１０ａ，１０ｂ，・・・が停止していないかをチェックすることができる。なお、ある室内ユニット１０ａ，１０ｂ，・・・が当該検索条件に合致するか否かの判定は、条件判定部３２ｃにより、基本情報データベース３５ｂの「機器ＩＤ」および「常時運転」フィールドの値、ならびに、運転情報データベース３５ｃの「機器ＩＤ」「時刻」および「起動状態」フィールドの値を参照することにより行われる。
【０１０７】
また、第５の例としては、運転スケジュールが登録されていることを除外条件とし、運転中であることを抽出条件とするものが挙げられる。かかる場合、アイコンの色から、統括管理者の意に反して運転している室内ユニット１０ａ，１０ｂ，・・・の消し忘れをチェックすることができる。なお、ある室内ユニット１０ａ，１０ｂ，・・・が当該検索条件に合致するか否かの判定は、条件判定部３２ｃにより、記憶部３５内の運転スケジュールに関する情報、ならびに、運転情報データベース３５ｃの「機器ＩＤ」「時刻」および「起動状態」フィールドの値を参照することにより行われる。
【０１０８】
また、最下位以外の階層の各オブジェクトＯ１，Ｏ２の左側には、折り畳みボタンが設けられている。折り畳みボタンが「＋」の状態の場合には、その右側のオブジェクト（つまり、１つ下位のオブジェクト）が非表示状態にあることを意味し、折り畳みボタンが「−」の状態の場合には、その右側のオブジェクト（つまり、１つ下位のオブジェクト）が表示中であることを意味する。
【０１０９】
ｂ）施設１全体および施設１を構成する各空間の模式図
図９〜図１１に示すように、中央の領域Ａ２には、統括管理者により入力部３４を介して現在選択されている空間（施設１全体、建物１ａ，１ｂ，・・・又は単位空間）の模式図が表示される。図９は、施設１全体が選択されている状態の画面例であり、図１０は、建物１ａが選択されている状態の画面例であり、図１１は、建物１ａ内の３階北側の単位空間が選択されている状態の画面例である。
【０１１０】
ｂ−１）施設全体の模式図
図９に示すように、第２表示制御部３２ｅは、ツリー構造Ｔ上で施設１全体に対応するオブジェクトＯ１が選択されたことを検知すると、見取図データベース３５ａからオブジェクトＯ１に対応する空間の見取図、すなわち、施設１全体の概略平面図を抽出し、領域Ａ２内に表示させる。
【０１１１】
施設１全体の概略平面図上の各建物１ａ，１ｂ，・・・に対応する部分は、オブジェクトＯ４化されており、当該建物１ａ，１ｂ，・・・内の室内ユニット１０ａ，１０ｂ，・・・の状態に合わせてその色が変わるようになっている。領域Ａ２内の建物１ａ，１ｂ，・・・に対応するオブジェクトＯ４には、ツリー構造Ｔ上の当該建物１ａ，１ｂ，・・・に対応するオブジェクトＯ２と同じ色が付されることになる。
【０１１２】
ｂ−２）各建物の模式図
図１０に示すように、第２表示制御部３２ｅは、ツリー構造Ｔ上でいずれかの建物１ａ，１ｂ，・・・に対応するオブジェクトＯ２が選択されたことを検知すると、見取図データベース３５ａから当該オブジェクトＯ２に対応する空間の見取図、すなわち、当該建物１ａ，１ｂ，・・・の概略側面図を抽出し、領域Ａ２内に表示させる。なお、領域Ａ２内に施設１全体の模式図が表示されている時に、その図上に配置されているオブジェクトＯ４が選択された場合にも、領域Ａ２内に建物１ａ，１ｂ，・・・の概略側面図が表示されることになる。
【０１１３】
建物１ａ，１ｂ，・・・の概略側面図上の各単位空間に対応する部分は、オブジェクトＯ５化されており、当該単位空間内の室内ユニット１０ａ，１０ｂ，・・・の状態に合わせてその色が変わるようになっている。領域Ａ２内の単位空間に対応するオブジェクトＯ５には、ツリー構造Ｔ上の当該単位空間に対応するオブジェクトＯ３と同じ色が付されることになる。
【０１１４】
ｂ−３）各単位空間の模式図
図１１に示すように、第２表示制御部３２ｅは、ツリー構造Ｔ上でいずれかの単位空間に対応するオブジェクトＯ３が選択されたことを検知すると、見取図データベース３５ａから当該オブジェクトＯ３に対応する空間の見取図、すなわち、当該単位空間の概略平面図を抽出し、領域Ａ２内に表示させる。なお、領域Ａ２内に建物１ａ，１ｂ，・・・の模式図が表示されている時に、その図上に配置されているオブジェクトＯ５が選択された場合にも、領域Ａ２内に単位空間の概略平面図が表示されることになる。
【０１１５】
さらに、第２表示制御部３２ｅは、領域Ａ２内に表示されている当該単位空間の概略平面図上に、当該単位空間内に設置されている室内ユニット１０ａ，１０ｂ，・・・に対応するオブジェクトＯ６を配置する。より具体的には、第２表示制御部３２ｅは、基本情報データベース３５ｂ内を検索して「建物」および「単位空間」フィールドに現在選択されている単位空間を特定する情報が格納されているレコードを抽出し、抽出した１又は複数のレコードの「座標」フィールドの値のとおりに１又は複数のオブジェクトＯ６を配置する。
【０１１６】
各オブジェクトＯ６は、アイコンと文字とからなる。
【０１１７】
各オブジェクトＯ６に含まれる文字は、基本情報データベース３５ｂ内の、当該オブジェクトＯ６に対応するレコードの「機器ＩＤ」フィールドの値となる。
【０１１８】
また、各オブジェクトＯ６に含まれるアイコンは、当該オブジェクトＯ６に対応する室内ユニット１０ａ，１０ｂ，・・・の状態に合わせてその色が変わるようになっている。領域Ａ２内のアイコンの色の決定は、第１表示制御部３２ｄがツリー構造Ｔ上のアイコンに付する色を決定する場合と同様に行われる。
【０１１９】
すなわち、第２表示制御部３２ｅは、条件判定部３２ｃによる判定の結果に応じて、所定の時間間隔で（本実施形態では、１分ごとに）、各オブジェクトＯ６に含まれるアイコンの色を決定してゆく。オブジェクトＯ６に含まれるアイコンの色は、当該アイコンに対応する室内ユニット１０ａ，１０ｂ，・・・が検索条件Ｃ１を満たす場合には、第１色、検索条件Ｃ１を満たさないが検索条件Ｃ２を満たす場合には、第２色、というような方式で決定され、いずれの検索条件Ｃ１，Ｃ２，・・・をも満たさない場合には、デフォルト色となる。なお、検索条件Ｃ１，Ｃ２，・・・間の優先順位は、ツリー構造Ｔに含まれるアイコンの色が決定される場合と同じく、統括管理者が図１５に示す表示設定画面を介して設定したものとなる。
【０１２０】
以上により、統括管理者は、領域Ａ２内のアイコンを見るだけで、当該アイコンに対応する室内ユニット１０ａ，１０ｂ，・・・に発生している異常等の事実（より正確には、当該アイコンに対応する室内ユニット１０ａ，１０ｂ，・・・が検索条件Ｃ１，Ｃ２，・・・に合致しているか否か）をすばやく察知することができる。
【０１２１】
ｃ）操作ボタン
図９〜図１１に示すように、右側の領域Ａ３には、複数の操作ボタンＢ１〜Ｂ５が表示されている。操作ボタンＢ１〜Ｂ４は、領域Ａ２内に施設１全体又は建物１ａ，１ｂ，・・・の模式図が表示されている間は無効化されており、領域Ａ２内に単位空間の模式図が表示されている間は有効になっている。
【０１２２】
領域Ａ２内に単位空間の模式図が表示されている間、統括管理者は、入力部３４を介して、当該模式図上のいずれかのオブジェクトＯ６を選択することができる。
【０１２３】
そして、あるオブジェクトＯ６が選択されている状態で、統括管理者により「起動」ボタンＢ１が押されると、運転制御部３２ｂは、当該オブジェクトＯ６に対応する室内ユニット１０ａ，１０ｂ，・・・の制御部１２に、当該室内ユニット１０ａ，１０ｂ，・・・の属する子コントローラ２０ａ，２０ｂ，・・・を介して、起動を命じる運転指令を送信する。従って、統括管理者は、管理画面を介して、室内ユニット１０ａ，１０ｂ，・・・を容易に起動できるようになっている。
【０１２４】
同様に、あるオブジェクトＯ６が選択されている状態で、統括管理者により「停止」ボタンＢ２が押されると、運転制御部３２ｂは、当該オブジェクトＯ６に対応する室内ユニット１０ａ，１０ｂ，・・・の制御部１２に、当該室内ユニット１０ａ，１０ｂ，・・・の属する子コントローラ２０ａ，２０ｂ，・・・を介して、停止を命じる運転指令を送信する。従って、統括管理者は、管理画面を介して、室内ユニット１０ａ，１０ｂ，・・・を容易に停止できるようになっている。
【０１２５】
一方、あるオブジェクトＯ６が選択されている状態で、統括管理者により「設定」ボタンＢ３が押されると、表示部３３上に、当該オブジェクトＯ６に対応する室内ユニット１０ａ，１０ｂ，・・・の運転パラメータ（設定温度、運転モード等）の変更を受け付ける設定変更ウィンドウが表示される。設定変更ウィンドウ上で運転パラメータが変更されると、運転制御部３２ｂは、当該室内ユニット１０ａ，１０ｂ，・・・の制御部１２に、当該室内ユニット１０ａ，１０ｂ，・・・の属する子コントローラ２０ａ，２０ｂ，・・・を介して、運転パラメータの変更を命じる運転指令を送信する。従って、統括管理者は、管理画面を介して、室内ユニット１０ａ，１０ｂ，・・・の運転パラメータを容易に変更できるようになっている。
【０１２６】
一方、あるオブジェクトＯ６が選択されている状態で、統括管理者により「詳細情報」ボタンＢ４が押されると、表示部３３上に、当該オブジェクトＯ６に対応する室内ユニット１０ａ，１０ｂ，・・・の詳細情報を示す詳細情報ウィンドウが表示される。詳細情報ウィンドウには、当該室内ユニット１０ａ，１０ｂ，・・・に関する、基本情報データベース３５ｂに格納されている基本情報、運転情報データベース３５ｃに格納されている運転情報および異常履歴データベース３５ｄに格納されている異常情報等が表示される。また、オブジェクトO６が所定の方法（入力部３４のマウスをダブルクリックするなど）で選択された場合にも、上記詳細情報ウィンドウが表示されるようになっている。従って、統括管理者は、管理画面を介して、室内ユニット１０ａ，１０ｂ，・・・の詳細情報に容易にアクセスすることができるようになっている。
【０１２７】
また、統括管理者により、入力部３４を介して「凡例」ボタンＢ５が押されると、表示部３３上に、各オブジェクトＯ１〜Ｏ６又はそれに含まれるアイコンに付される色の凡例を表示する凡例表示ウィンドウが開くようになっている。従って、統括管理者は、オブジェクトＯ１〜Ｏ６又はそれに含まれるアイコンの色の意味を容易に知ることができる。
【０１２８】
（６）制御ロジック
親コントローラ３０の記憶部３５内には、制御ロジックＬ１，Ｌ２，・・・が記憶されている。制御ロジックＬ１，Ｌ２，・・・の実体は、条件判定部３２ｃから出力される信号によってトリガされるプログラムであり、当該プログラムは、そのトリガとなる信号の種類に対応付けられて記憶されている。なお、１の制御ロジックＬ１，Ｌ２，・・・には、トリガとなる信号を１種類以上対応付けることができる。
【０１２９】
上述したように、条件判定部３２ｃは、所定の時間間隔で、データベース３５ｂ〜３５ｄを参照し、各室内ユニット１０ａ，１０ｂ，・・・が記憶部３５内の検索条件Ｃ１，Ｃ２，・・・に合致するか否かを判断している。そして、さらに、条件判定部３２ｃは、ある室内ユニット１０ａ，１０ｂ，・・・がある検索条件Ｃ１，Ｃ２，・・・に合致すると判断する度に、その旨を示す信号をロジック実行部３２ｇに向けて出力する。すなわち、当該信号は、１の室内ユニット１０ａ，１０ｂ，・・・を特定する情報と、１の検索条件Ｃ１，Ｃ２，・・・を特定する情報とを有している。一方、ロジック実行部３２ｇは、当該信号を受信する度に、記憶部３５内に当該信号をトリガとする制御ロジックＬ１，Ｌ２，・・・が存在するか否かを確認し、存在すれば、かかる制御ロジックＬ１，Ｌ２，・・・を実行する。
【０１３０】
制御ロジックＬ１，Ｌ２，・・・としては、以下のようなものがある。
【０１３１】
第１の例としては、ある特定の室内ユニット１０ａ，１０ｂ，・・・がある特定の検索条件Ｃ１，Ｃ２，・・・（異常が発生していること等）を満たしていることを示す信号を受信すると、親コンピュータ３０の音声出力部（図示されない）にブザー音を出力させるというものが挙げられる。
【０１３２】
また、第２の例としては、ある特定の室内ユニット１０ａ，１０ｂ，・・・がある特定の検索条件Ｃ１，Ｃ２，・・・（異常が発生していること等）を満たしていることを示す信号を受信すると、登録されているメールアドレスに電子メールを送信するというものが挙げられる。電子メールの送信先として当該室内ユニット１０ａ，１０ｂ，・・・が存在する建物１ａ，１ｂ，・・・を担当する管理者のメールアドレスが登録されている場合には、室内ユニット１０ａ，１０ｂ，・・・に生じている異常等の事実（より正確には、当該室内ユニット１０ａ，１０ｂ，・・・が当該検索条件Ｃ１，Ｃ２，・・・に合致していること）を当該管理者に迅速に伝えることができる。
【０１３３】
また、第３の例としては、ある特定の室内ユニット１０ａ，１０ｂ，・・・がある特定の検索条件Ｃ１，Ｃ２，・・・（室内温度が所定の温度範囲外にある等）を満たしていることを示す信号を受信すると、デマンド抑制制御を実行するというものが挙げられる。
【０１３４】
〈特徴〉
（１）
上記実施形態では、施設１が、施設１全体、建物１ａ，１ｂ，・・・および単位空間にそれぞれ対応するオブジェクトＯ１〜Ｏ３を要素とするツリー構造Ｔとして表現されるようになっている。そして、各オブジェクトＯ１〜Ｏ３の色が、当該オブジェクトＯ１〜Ｏ３に対応する空間内の室内ユニット１０ａ，１０ｂ，・・・の状態に応じて変化する。従って、統括管理者は、オブジェクトＯ１〜Ｏ３の形態により、室内ユニット１０ａ，１０ｂ，・・・の状態を直感的に理解することができる。
【０１３５】
（２）
上記実施形態では、ツリー構造Ｔとともに、ツリー構造Ｔ上で選択中の空間（施設１全体、建物１ａ，１ｂ，・・・又は単位空間）の模式図が表示される。従って、統括管理者は、ツリー構造Ｔを介して所望の空間を容易に選択するとともに、模式図を介して選択中の空間の様子を直感的に理解することができる。
【０１３６】
（３）
上記実施形態では、単位空間に対応する模式図（図１１参照）上のオブジェクトＯ６が、当該オブジェクトＯ６に対応する室内ユニット１０ａ，１０ｂ，・・・の詳細情報へのリンクとなっている。従って、統括管理者は、室内ユニット１０ａ，１０ｂ，・・・の詳細情報に容易にアクセスすることができる。
【０１３７】
（４）
上記実施形態では、オブジェクトＯ１〜Ｏ６に含まれるアイコンの色を決定するための複数の検索条件Ｃ１，Ｃ２，・・・間の優先順位を、表示設定画面を介して統括管理者が自由に定義することができるようになっている。
【０１３８】
従って、例えば、統括管理者は、異常の発生の有無だけを確認したい場合には、上記検索条件Ｃ１のみを有効化すればよい。
【０１３９】
また、例えば、検索条件Ｃ２を運転中であることとし、検索条件Ｃ３を設定温度が標準値よりも低く、かつ、運転中であることとすると、以下のような監視が可能になる。
【０１４０】
すなわち、検索条件Ｃ２のみを有効化すると、運転中の室内ユニット１０ａ，１０ｂ，・・・又は運転中の室内ユニット１０ａ，１０ｂ，・・・が存在している空間に対応するアイコンの色のみが変わることになる。従って、ある室内ユニット１０ａ，１０ｂ，・・・が消し忘れられていること、あるいは、ある空間内に消し忘れの室内ユニット１０ａ，１０ｂ，・・・が存在していることを容易に判断することができる。
【０１４１】
また、検索条件Ｃ１〜Ｃ３を全て有効化した上で、優先順位をＣ１＞Ｃ２＞Ｃ３とすると、異常の発生と、消し忘れと、設定温度が不適切であることとを全て監視することができる。より具体的には、異常が発生した場合には、そのことがオブジェクトＯ１〜Ｏ６の表示形式に最優先で反映され、次に、無駄に電力消費される可能性のある室内ユニット１０ａ，１０ｂ，・・・の存在が反映される。
【０１４２】
つまり、上記実施形態では、統括管理者の監視目的に応じて表示形式を自由に切り替えることができるようになっている。
【０１４３】
〈変形例〉
（１）
上記実施形態では、親コントローラ３０による管理上、施設１が３階層の空間として階層化されているが、２階層又は４階層以上の空間として階層化されていてもよい。
【０１４４】
（２）
上記実施形態において、親コントローラ３０が、親コントローラ３０をサーバコンピュータとするクライアントコンピュータに、上記管理画面および表示設定画面を提供するようになっていてもよい。また、当該クライアントコンピュータは、ＬＡＮ５ａ内の端末であってもよいし、ＬＡＮ５ａ外の端末、例えば、インターネットを介して接続される施設１外の遠隔の端末であってもよい。なお、親コントローラ３０がＷｅｂサーバ機能を有する場合には、当該クライアントコンピュータはブラウザ機能を有する端末であれば足りることになる。
【０１４５】
さらに、かかる変形例においては、検索条件Ｃ１，Ｃ２，・・・の有効化、ならびに有効化されている検索条件Ｃ１，Ｃ２，・・・間の優先順位の決定は、親コンピュータ３０にログインする権限が与えられている利用者ＩＤごと（あるいは、クライアントコンピュータごと）に可能となっていてもよい。例えば、かかる場合、親コンピュータ３０本体又はクライアントコンピュータを介して管理者が表示設定画面上で編集した情報は、検索条件Ｃ１，Ｃ２，・・・の本体データおよび利用者ＩＤの両方に関連付けられた態様で記憶部３５内のデータベースに格納される。そして、親コンピュータ３０は、上記管理画面および表示設定画面の表示要求を受け取ると、当該アクセス元の利用者ＩＤを判断し、上記データベース内の当該利用者ＩＤに関連付けられている情報に従って画面表示を行う。
【０１４６】
ここでは、親コントローラ３０以外の端末から室内ユニット１０ａ，１０ｂ，・・・を監視することが可能になる。さらに、管理者が複数存在する場合に、それぞれの希望する形式の画面表示を実現することができる。
【０１４７】
（３）
上記実施形態では、室内ユニット１０ａ，１０ｂ，・・・の状態に合わせて、オブジェクトＯ１〜Ｏ６の色が変更されるようになっている。しかしながら、色だけでなく、形状又は模様あるいはこれらの組合せが変更されるようになっていてもよい。
【０１４８】
（４）
上記実施形態では、検索条件Ｃ１，Ｃ２，・・・を任意に設定可能であるとしたが、抽出条件又は除外条件のいずれか一方のみを変更できるようになっていてもよい。
【０１４９】
（５）
上記実施形態において、親コントローラ３０が、施設１の遠隔にあるサービスセンター等に設置されている遠隔管理サーバに、インターネット等を介して接続されていてもよい。さらに、当該遠隔管理サーバには、施設１以外の多数の物件に設置されている多数の各種コントローラが接続されるようになっていてもよい。
【０１５０】
（６）
上記実施形態において、子コントローラ２０ａ，２０ｂ，・・・が省略されてもよい。すなわち、室内ユニット１０ａ，１０ｂ，・・・が子コントローラ２０ａ，２０ｂ，・・・を介さずに親コントローラ３０に直接接続され、子コントローラ２０ａ，２０ｂ，・・・による処理の全部又は一部を親コントローラ３０が担うようになっていてもよい。
【０１５１】
（７）
上記実施形態において、群管理システム１００が、照明装置、給排水装置、加湿器、昇降機、防犯装置等の空調設備以外の設備機器を管理するようになっていてもよい。また、空調設備を含む又は含まない複数種類の設備機器を管理するようになっていてもよい。
【０１５２】
かかる場合、例えば、特定の種類の設備機器であることを除外条件とし、運転中であることを抽出条件とする検索条件Ｃ１，Ｃ２，・・・を設定することができる。当該検索条件Ｃ１，Ｃ２，・・・の下では、アイコンの色から、特定の種類の設備機器のみの消し忘れをチェックすることができる。なお、このような検索条件Ｃ１，Ｃ２，・・・を設定するためには、例えば、基本情報データベース３５ｂに、機器の種別を示す値を格納するための「種別」フィールド等が定義されている必要がある。
【０１５３】
（８）
上記実施形態において、管理画面を介して、室内ユニット１０ａ，１０ｂ，・・・と同様に、室外ユニットについても管理できるようになっていてもよい。
【０１５４】
（９）
上記実施形態では、領域Ａ１内のツリー構造Ｔ上では、オブジェクトＯ１〜Ｏ３を同時に１つしか選択できないものとなっている。しかしながら、オブジェクトＯ１〜Ｏ３を同時に複数個選択可能とし、領域Ａ２内には同時に選択された複数個のオブジェクトＯ１〜Ｏ３に対応する模式図を並べて表示するようにしてもよい（図１２参照）。
【０１５５】
かかる場合、領域Ａ２内では、個々の模式図が相対的に小さく表示されるため、模式図を部分的に拡大表示する「虫眼鏡」機能を設けることが好ましい。
【０１５６】
また、同時に選択する方法としては、選択したいオブジェクトＯ１〜Ｏ３を含む領域を入力部３４のマウスで矩形にドラッグする方法等が採用可能である。
【０１５７】
（１０）
上記実施形態において、領域Ａ２内に建物１ａ，１ｂ，・・・の模式図が表示されている間に、当該図上のあるオブジェクトＯ４に所定の操作（例えば、入力部３４のマウスのカーソルを当てている状態で右クリックする）が加えられると、当該オブジェクトＯ４に対応する空間の構造を示すツリー構造が、当該オブジェクトＯ４の傍に表示されるようになっていてもよい（図１３参照）。
【０１５８】
さらに、かかる新たなツリー構造は、領域Ａ１内のツリー構造の一部分を切り取ったものと同様の形態を有し、その構成要素である個々のオブジェクトを選択できるようになっていてもよい。
【０１５９】
（１１）
上記実施形態では、ツリー構造Ｔを縦長に展開するものとしたが、横長に展開してもよい（図１４参照）。かかる場合、通常、パーソナルコンピュータの画面は横長であるため、ツリー構造が１画面に収まり易くなる。
【０１６０】
（１２）
子コントローラ２０ａ，２０ｂ，・・・および親コントローラ３０が取得し、記憶する情報は、上記実施形態に示されたものに限られない。
【０１６１】
例えば、親コントローラ３０が、圧縮機の周波数、ファンの回転数、冷媒回路の適当な箇所における冷媒の温度および圧力等を示す情報等を、子コントローラ２０ａ，２０ｂ，・・・を介して取得するようになっていてもよい。
【０１６２】
さらに、親コントローラ３０の監視部３２ａが、当該情報に基づいて独自のロジックで異常を検出し、当該検出の結果が検索条件Ｃ１，Ｃ２，・・・に利用され、オブジェクトＯ１〜Ｏ６の形態に反映されるようになっていてもよい。
【０１６３】
（１３）
上記実施形態では、オブジェクトＯ１〜Ｏ６（特に、ツリー構造Ｔｓに含まれるオブジェクトＯ１〜Ｏ３）は、階層構造を有する見取図データベース３５ａのデータ構造に従って自動的に作成されるようになっている。しかしながら、オブジェクトＯ１〜Ｏ６は、見取図データベース３５ａではなく、基本情報データベース３５ｂ内の室内ユニット１０ａ，１０ｂ，・・・の機器ＩＤに従って、自動的に作成されるようになっていてもよい。
【０１６４】
例えば、室内ユニット１０ａ，１０ｂ，・・・の機器ＩＤが「施設１建物１ａ４階北側０Ａ」となっている場合に、機器ＩＤを「施設１」−「建物１ａ」−「４階北側」−「０Ａ」というように所定のルールで自動的に文節し、「施設１」に対応するオブジェクトＯ１、「建物１ａ」に対応するオブジェクトＯ２，Ｏ４、「４階北側」に対応するオブジェクトＯ３，Ｏ５、「０Ａ」に対応するオブジェクトＯ６を自動的に作成してもよい。
【０１６５】
かかる変形例では、室内ユニット１０ａ，１０ｂ，・・・の機器ＩＤを所定のルールに従って命名するだけで容易にツリー構造Ｔｓを作成することが可能になり、特に、室内ユニット１０ａ，１０ｂ，・・・が多数存在し、ツリー構造Ｔｓが大きくなる場合には有用である。
【０１６６】
（１４）
上記実施形態では、ツリー構造Ｔｓは、施設１の現実の物理的な空間構造に対応するように階層的に組み立てられている。しかしながら、ツリー構造Ｔｓを、論理的な空間構造に対応する階層構造としてもよい。例えば、「廊下」というオブジェクトの下位に、複数の建物１ａ，１ｂ，・・・の廊下に対応する複数のオブジェクトを配置し、「教室」というオブジェクトの下位に、教室に対応する複数のオブジェクトを配置するようしてもよい。つまり、現実に物理的に離れた空間どうしをまとめて、より上位の空間とすることができる。
【０１６７】
なお、ツリー構造Ｔｓを論理的な空間構造に対応させる場合にも勿論、変形例（１３）のように、ツリー構造Ｔｓを自動作成することができる。
【０１６８】
（１５）
上記実施形態では、見取図データベース３５ａは、階層構造を有するデータベースとなっているが、かかる形式に限定されない。例えば、見取図データベース３５ａは、見取図のみを格納するデータベースと、当該見取図の階層構造、すなわち、施設１の空間構造を管理する情報を格納するデータベースとから構成されるようになっていてもよい。
【０１６９】
（１６）
表示設定画面へと遷移する手段は、上記実施形態のボタンＢ６の態様に限定されない。例えば、同様のボタンが左側の領域Ａ１の下方に配置されていてもよいし、右側の領域Ａ３の「設定」ボタンＢ３が押下されることにより遷移する設定画面内からさらに遷移できるようになっていてもよい。
【０１７０】
また、表示設定画面の態様も、上記実施形態に限定されない。例えば、統括管理者に優先順位を指定させるために、検索条件Ｃ１，Ｃ２，・・・のリストを表示した上で統括管理者に有効化したい条件式にチェックを付けさせる態様にしてもよいし、あるいは統括管理者に番号を入力させる態様にしてもよい。
【図面の簡単な説明】
【０１７１】
【図１】本発明の一実施形態に係る親コントローラを含む群管理システムの構成を示す図。
【図２】室内ユニットの構成を示す図。
【図３】子コントローラの構成を示す図。
【図４】親コントローラの構成を示す図。
【図５】見取図データベースのデータ構造を示す図。
【図６】基本情報データベースのデータ構造を示す図。
【図７】運転情報データベースのデータ構造を示す図。
【図８】異常履歴データベースのデータ構造を示す図。
【図９】施設全体に対応するオブジェクトが選択されている状態の管理画面を示す図。
【図１０】ある建物に対応するオブジェクトが選択されている状態の管理画面を示す図。
【図１１】ある単位空間に対応するオブジェクトが選択されている状態の管理画面を示す図。
【図１２】変形例（９）に係る管理画面を示す図。
【図１３】変形例（１０）に係る管理画面を示す図。
【図１４】変形例（１１）に係る管理画面を示す図。
【図１５】表示設定画面を示す図。
【符号の説明】
【０１７２】
１  敷地
１ａ，１ｂ，・・・  建物
１０  空調設備
１０ａ，１０ｂ，・・・  室内ユニット（設備機器）
２０  子コントローラ
３０  親コントローラ（機器管理装置）
３２  制御部
３２ｃ  条件判定部
３２ｄ  第１表示制御部
３２ｅ  第２表示制御部
３４  入力部（設定入力部）
Ｏ１〜Ｏ６オブジェクト
Ｃ１，Ｃ２，・・・  検索条件（所定の条件）
Ｔ  ツリー構造
【図１】
2010009568.tif 000003
【図２】
2010009568.tif 000004
【図３】
2010009568.tif 000005
【図４】
2010009568.tif 000006
【図５】
2010009568.tif 000007
【図６】
2010009568.tif 000008
【図７】
2010009568.tif 000009
【図８】
2010009568.tif 000010
【図９】
2010009568.tif 000011
【図１０】
2010009568.tif 000012
【図１１】
2010009568.tif 000013
【図１２】
2010009568.tif 000014
【図１３】
2010009568.tif 000015
【図１４】
2010009568.tif 000016
【図１５】
2010009568.tif 000017
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
複数の下位空間からなる上位空間内に散在する複数の設備機器（１０ａ，１０ｂ，・・・）を管理する管理画面を提供する機器管理装置（３０）であって、
前記管理画面上に、前記上位空間に対応する上位オブジェクト（Ｏ１，Ｏ２）および前記下位空間に対応する下位オブジェクト（Ｏ２，Ｏ３）をツリー構造（Ｔ）となるように表示する第１表示制御部（３２ｄ）と、
前記設備機器が所定の条件（Ｃ１，Ｃ２，・・・）に合致するか否かを判定する条件判定部（３２ｃ）と、
を備え、
前記第１表示制御部は、前記下位オブジェクトの形態を、当該下位オブジェクトに対応する前記下位空間内の前記設備機器が前記所定の条件に合致するか否かの前記条件判定部による判定の結果に応じて変化させるとともに、前記上位オブジェクトの形態を、当該上位オブジェクトに対応する前記上位空間内の前記設備機器が前記所定の条件に合致するか否かの前記条件判定部による判定の結果に応じて変化させる、
機器管理装置（３０）。
【請求項２】
前記第１表示制御部（３２ｄ）は、前記下位オブジェクト（Ｏ２，Ｏ３）の形態を、当該下位オブジェクトに対応する前記下位空間内の前記設備機器（１０ａ，１０ｂ，・・・）が前記所定の条件（Ｃ１，Ｃ２，・・・）に合致すると前記条件判定部（３２ｃ）により判定される場合には、前記所定の条件に対応する表示形式とするとともに、前記上位オブジェクト（Ｏ１，Ｏ２）の形態を、当該上位オブジェクトに対応する前記上位空間内の前記設備機器が前記所定の条件に合致すると前記条件判定部により判定される場合には、前記所定の条件に対応する前記表示形式とする、
請求項１に記載の機器管理装置（３０）。
【請求項３】
複数の下位空間からなる上位空間内に散在する複数の設備機器（１０ａ，１０ｂ，・・・）を管理する管理画面を提供する機器管理装置（３０）であって、
前記管理画面上に、前記上位空間に対応する上位オブジェクト（Ｏ１，Ｏ２）および前記下位空間に対応する下位オブジェクト（Ｏ２，Ｏ３）をツリー構造（Ｔ）となるように表示する第１表示制御部（３２ｄ）と、
前記設備機器が所定の条件（Ｃ１，Ｃ２，・・・）に合致するか否かを判定する条件判定部（３２ｃ）と、
を備え、
前記所定の条件は、優先順位が定義されている複数の条件式を含み、
前記第１表示制御部は、前記下位オブジェクトの形態を、当該下位オブジェクトに対応する前記下位空間内の前記設備機器が複数の前記条件式に合致すると前記条件判定部により判定される場合には、当該合致する前記条件式のうち前記優先順位の高いものに対応する表示形式とすることにより、当該下位オブジェクトに対応する前記下位空間内の前記設備機器が前記所定の条件に合致するか否かの前記条件判定部による判定の結果に応じて変化させる、
機器管理装置（３０）。
【請求項４】
複数の下位空間からなる上位空間内に散在する複数の設備機器（１０ａ，１０ｂ，・・・）を管理する管理画面を提供する機器管理装置（３０）であって、
前記管理画面上に、前記上位空間に対応する上位オブジェクト（Ｏ１，Ｏ２）および前記下位空間に対応する下位オブジェクト（Ｏ２，Ｏ３）をツリー構造（Ｔ）となるように表示する第１表示制御部（３２ｄ）と、
前記設備機器が所定の条件（Ｃ１，Ｃ２，・・・）に合致するか否かを判定する条件判定部（３２ｃ）と、
を備え、
前記所定の条件は、優先順位が定義されている複数の条件式を含み、
前記第１表示制御部は、前記下位オブジェクトの形態を、当該下位オブジェクトに対応する前記下位空間内の前記設備機器が前記所定の条件に合致するか否かの前記条件判定部による判定の結果に応じて変化させるとともに、前記上位オブジェクトの形態を、当該上位オブジェクトに対応する前記上位空間内の前記設備機器が複数の前記条件式に合致すると前記条件判定部により判定される場合には、当該合致する前記条件式のうち前記優先順位の高いものに対応する表示形式とすることにより、当該上位オブジェクトに対応する前記上位空間内の前記設備機器が前記所定の条件に合致するか否かの前記条件判定部による判定の結果に応じて変化させる、
機器管理装置（３０）。
【請求項５】
前記優先順位の設定入力を受け付ける設定入力部（３４）、
をさらに備える、
請求項３又は４に記載の機器管理装置（３０）。
【請求項６】
前記管理画面上に、前記ツリー構造（Ｔ）とともに、前記ツリー構造上で選択されている前記上位オブジェクト（Ｏ１，Ｏ２）に対応する前記上位空間又は前記下位オブジェクト（Ｏ２，Ｏ３）に対応する前記下位空間の模式図を表示する第２表示制御部（３２ｅ）、
をさらに備える、
請求項１から５のいずれかに記載の機器管理装置（３０）。
【請求項７】
前記模式図は、前記上位空間又は前記下位空間の見取図上に前記設備機器（１０ａ，１０ｂ，・・・）に対応する機器オブジェクト（Ｏ６）を配置したものである、
請求項６に記載の機器管理装置（３０）。
【請求項８】
前記機器オブジェクト（Ｏ６）は、当該機器オブジェクトに対応する前記設備機器（１０ａ，１０ｂ，・・・）の詳細情報へのリンクである、
請求項７に記載の機器管理装置（３０）。
【請求項９】
前記第１表示制御部（３２ｄ）は、前記下位オブジェクト（Ｏ２，Ｏ３）の形態を、当該下位オブジェクトに対応する前記下位空間内の少なくとも１つの前記設備機器（１０ａ，１０ｂ，・・・）が前記所定の条件（Ｃ１，Ｃ２，・・・）に合致するか否かの前記条件判定部（３２ｃ）による判定の結果に応じて変化させる、
請求項１から８のいずれかのいずれかに記載の機器管理装置（３０）。
【請求項１０】
前記第１表示制御部（３２ｄ）は、前記上位オブジェクト（Ｏ１，Ｏ２）の形態を、当該上位オブジェクトに対応する前記上位空間内の少なくとも１つの前記設備機器（１０ａ，１０ｂ，・・・）が前記所定の条件（Ｃ１，Ｃ２，・・・）に合致するか否かの前記条件判定部（３２ｃ）による判定の結果に応じて変化させる、
請求項１から９のいずれかに記載の機器管理装置（３０）。
【請求項１１】
前記所定の条件（Ｃ１，Ｃ２，・・・）は、除外条件と抽出条件とを組み合わせたものであり、
前記条件判定部（３２ｃ）は、前記除外条件に合致せず、かつ、前記抽出条件に合致する前記設備機器（１０ａ，１０ｂ，・・・）を前記所定の条件に合致するものと判定する、
請求項１から１０のいずれかに記載の機器管理装置（３０）。
【請求項１２】
前記除外条件の設定入力を受け付ける設定入力部（３４）、
をさらに備える、
請求項１１に記載の機器管理装置（３０）。
【請求項１３】
制御ロジック（Ｌ１，Ｌ２，・・・）を記憶するロジック記憶部（３５）と、
前記設備機器（１０ａ，１０ｂ，・・・）が前記所定の条件（Ｃ１，Ｃ２，・・・）に合致するか否かの判定の結果に応じて前記条件判定部（３２ｃ）が出力する信号をトリガとして前記制御ロジックを実行するロジック実行部（３２ｇ）と、
をさらに備える、
請求項１から１２のいずれかに記載の機器管理装置（３０）。
【請求項１４】
前記設備機器（１０ａ，１０ｂ，・・・）のそれぞれの機器名称を記憶する名称記憶部（３５ｂ）、
をさらに備え、
前記第１表示制御部（３２ｃ）は、前記ツリー構造（Ｔ）を前記名称記憶部内の前記機器名称を参照して、自動的に作成する、
請求項１から１３のいずれかに記載の機器管理装置（３０）。
【請求項１５】
前記管理画面を要求する要求元を特定する要求元特定部（３２）と、
前記所定の条件を前記要求元に関連付けて記憶する条件式記憶部（３５）と、
をさらに備え、
前記第１表示制御部（３２ｄ）は、前記要求元特定部により特定された前記要求元に提供する前記管理画面上における前記下位オブジェクトの形態を、当該下位オブジェクトに対応する前記下位空間内の前記設備機器が、当該要求元に関連付けられている前記所定の条件に合致するか否かの前記条件判定部（３２ｃ）による判定の結果に応じて変化させる、
請求項１から１４のいずれかに記載の機器管理装置（３０）。
【手続補正２】
【補正対象書類名】明細書
【補正対象項目名】全文
【補正方法】変更
【補正の内容】
【発明の詳細な説明】
【技術分野】
【０００１】
本発明は、複数の設備機器を管理する管理画面を提供する機器管理装置に関する。
【背景技術】
【０００２】
従来より、１の施設内の複数の設備機器（空調設備の複数の室内ユニット等）が１の管理画面を介して集中的に管理されることがある（特許文献１）。かかる施設としては、一般家庭から、オフィスビル、さらには複数の建物群からなる大学、病院等、大小様々な規模の施設がある。
【特許文献１】特開２００５−３０８２７８号公報
【発明の開示】
【発明が解決しようとする課題】
【０００３】
しかしながら、施設の規模が大きくなり、管理対象となる設備機器の数が増してくると、１の管理画面で管理し得る管理内容は限られてくることになる。従って、例えば、ある設備機器に異常等が発生していたとしても、管理画面を操作している管理者には、その情報が迅速かつ正確に伝わらないといった問題も発生し得る。かかる問題を回避するためには、管理画面が適切に設計されている必要がある。
【０００４】
本発明の課題は、複数の設備機器を合理的に管理し得る管理画面を提供する機器管理装置を提供することにある。
【課題を解決するための手段】
【０００５】
第１発明に係る機器管理装置は、第１表示制御部と、条件判定部とを備え、複数の下位空間からなる上位空間内に散在する複数の設備機器を管理する管理画面を提供する。第１表示制御部は、管理画面上に、上位空間に対応する上位オブジェクトおよび下位空間に対応する下位オブジェクトをツリー構造となるように表示する。条件判定部は、設備機器が所定の条件に合致するか否かを判定する。第１表示制御部は、下位オブジェクトの形態を、当該下位オブジェクトに対応する下位空間内の設備機器が所定の条件に合致するか否かの条件判定部による判定の結果に応じて変化させるとともに、上位オブジェクトの形態を、当該上位オブジェクトに対応する上位空間内の設備機器が所定の条件に合致するか否かの条件判定部による判定の結果に応じて変化させる。なお、ツリー構造は、現実の物理的な空間構造を反映するものであってもよいし、論理的な空間構造を反映するものであってもよい。
【０００６】
ここでは、複数の設備機器の設置される空間（上位空間）が、当該空間およびその複数のサブ空間（下位空間）にそれぞれ対応するオブジェクトを要素とするツリー構造として表現される。そして、下位空間に対応するオブジェクト（下位オブジェクト）の形態が、当該下位空間内の設備機器の状態に応じて変化する。従って、管理画面を見た管理者は、下位オブジェクトの形態により、設備機器の状態を直感的に理解することができる。これにより、複数の設備機器を合理的に管理することができる。
【０００７】
また、ここでは、上位空間に対応するオブジェクト（上位オブジェクト）の形態が、当該上位空間内の設備機器の状態に応じて変化する。従って、管理者は、上位オブジェクトの形態により、設備機器の状態を直感的に理解することができる。
【０００８】
なお、機器管理装置による管理画面の提供の態様としては、当該機器管理装置の表示部上に表示される場合の他、当該機器管理装置に接続される他の装置の表示部上に表示される場合が含まれる。
【０００９】
第２発明に係る機器管理装置は、第１発明に係る機器管理装置であって、第１表示制御部は、下位オブジェクトの形態を、当該下位オブジェクトに対応する下位空間内の設備機器が所定の条件に合致すると条件判定部により判定される場合には、所定の条件に対応する表示形式とするとともに、上位オブジェクトの形態を、当該上位オブジェクトに対応する上位空間内の設備機器が所定の条件に合致すると条件判定部により判定される場合には、所定の条件に対応する前記表示形式とする。
【００１０】
第３発明に係る機器管理装置は、第１表示制御部と、条件判定部とを備え、複数の下位空間からなる上位空間内に散在する複数の設備機器を管理する管理画面を提供する。第１表示制御部は、管理画面上に、上位空間に対応する上位オブジェクトおよび下位空間に対応する下位オブジェクトをツリー構造となるように表示する。条件判定部は、設備機器が所定の条件に合致するか否かを判定する。所定の条件は、優先順位が定義されている複数の条件式を含む。第１表示制御部は、下位オブジェクトの形態を、当該下位オブジェクトに対応する下位空間内の設備機器が複数の条件式に合致すると条件判定部により判定される場合には、当該合致する条件式のうち優先順位の高いものに対応する表示形式とすることにより、当該下位オブジェクトに対応する下位空間内の設備機器が所定の条件に合致するか否かの条件判定部による判定の結果に応じて変化させる。なお、ツリー構造は、現実の物理的な空間構造を反映するものであってもよいし、論理的な空間構造を反映するものであってもよい。
【００１１】
ここでは、複数の設備機器の設置される空間（上位空間）が、当該空間およびその複数のサブ空間（下位空間）にそれぞれ対応するオブジェクトを要素とするツリー構造として表現される。そして、下位空間に対応するオブジェクト（下位オブジェクト）の形態が、当該下位空間内の設備機器の状態に応じて変化する。従って、管理画面を見た管理者は、下位オブジェクトの形態により、設備機器の状態を直感的に理解することができる。これにより、複数の設備機器を合理的に管理することができる。
【００１２】
なお、機器管理装置による管理画面の提供の態様としては、当該機器管理装置の表示部上に表示される場合の他、当該機器管理装置に接続される他の装置の表示部上に表示される場合が含まれる。
【００１３】
また、ここでは、下位オブジェクトの形態を決定するために、設備機器の状態が複数の条件式に沿って判定される。そして、１以上の条件式に合致する場合には、当該合致する条件式のうち優先順位の高いものに対応する表示形式に従って下位オブジェクトの形態が決定される。これにより、管理者は、下位オブジェクトの形態によって設備機器のより複雑な状態を判断することができる。
【００１４】
第４発明に係る機器管理装置は、第１表示制御部と、条件判定部とを備え、複数の下位空間からなる上位空間内に散在する複数の設備機器を管理する管理画面を提供する。第１表示制御部は、管理画面上に、上位空間に対応する上位オブジェクトおよび下位空間に対応する下位オブジェクトをツリー構造となるように表示する。条件判定部は、設備機器が所定の条件に合致するか否かを判定する。所定の条件は、優先順位が定義されている複数の条件式を含む。第１表示制御部は、下位オブジェクトの形態を、当該下位オブジェクトに対応する下位空間内の設備機器が所定の条件に合致するか否かの条件判定部による判定の結果に応じて変化させるとともに、上位オブジェクトの形態を、当該上位オブジェクトに対応する上位空間内の設備機器が複数の条件式に合致すると条件判定部により判定される場合には、当該合致する条件式のうち優先順位の高いものに対応する表示形式とすることにより、当該上位オブジェクトに対応する上位空間内の設備機器が所定の条件に合致するか否かの条件判定部による判定の結果に応じて変化させる。なお、ツリー構造は、現実の物理的な空間構造を反映するものであってもよいし、論理的な空間構造を反映するものであってもよい。
【００１５】
ここでは、複数の設備機器の設置される空間（上位空間）が、当該空間およびその複数のサブ空間（下位空間）にそれぞれ対応するオブジェクトを要素とするツリー構造として表現される。そして、下位空間に対応するオブジェクト（下位オブジェクト）の形態が、当該下位空間内の設備機器の状態に応じて変化する。従って、管理画面を見た管理者は、下位オブジェクトの形態により、設備機器の状態を直感的に理解することができる。これにより、複数の設備機器を合理的に管理することができる。
【００１６】
また、ここでは、上位空間に対応するオブジェクト（上位オブジェクト）の形態が、当該上位空間内の設備機器の状態に応じて変化する。従って、管理者は、上位オブジェクトの形態により、設備機器の状態を直感的に理解することができる。
【００１７】
なお、機器管理装置による管理画面の提供の態様としては、当該機器管理装置の表示部上に表示される場合の他、当該機器管理装置に接続される他の装置の表示部上に表示される場合が含まれる。
【００１８】
また、ここでは、上位オブジェクトの形態を決定するために、設備機器の状態が複数の条件式に沿って判定される。そして、１以上の条件式に合致する場合には、当該合致する条件式のうち優先順位の高いものに対応する表示形式に従って上位オブジェクトの形態が決定される。これにより、管理者は、上位オブジェクトの形態によって設備機器のより複雑な状態を判断することができる。
【００１９】
第５発明に係る機器管理装置は、第３発明又は第４発明に係る機器管理装置であって、設定入力部をさらに備える。設定入力部は、優先順位の設定入力を受け付ける。
【００２０】
ここでは、オブジェクトの形態を決定するための複数の条件式間の優先順位を、管理者が定義することができる。
【００２１】
第６発明に係る機器管理装置は、第１発明から第５発明のいずれかに係る機器管理装置であって、第２表示制御部をさらに備える。第２表示制御部は、管理画面上に、ツリー構造とともに、ツリー構造上で選択されている上位オブジェクトに対応する上位空間又は下位オブジェクトに対応する下位空間の模式図を表示する。
【００２２】
ここでは、ツリー構造とともに、ツリー構造上で選択中の空間（上位空間又は下位空間）の模式図が表示される。従って、管理者は、ツリー構造を介して所望の空間を容易に選択するとともに、模式図を介して選択中の空間の様子を直感的に理解することができる。
【００２３】
第７発明に係る機器管理装置は、第６発明に係る機器管理装置であって、模式図は、上位空間又は下位空間の見取図上に設備機器に対応する機器オブジェクトを配置したものである。
【００２４】
ここでは、ツリー構造とともに、ツリー構造上で選択中の空間（上位空間又は下位空間）の見取図が表示され、当該見取図上には、設備機器に対応するオブジェクト（機器オブジェクト）が配置される。従って、管理者は、ツリー構造を介して所望の空間を容易に選択するとともに、模式図を介して選択中の空間内の設備機器の様子を直感的に理解することができる。
【００２５】
第８発明に係る機器管理装置は、第７発明に係る機器管理装置であって、機器オブジェクトは、当該機器オブジェクトに対応する設備機器の詳細情報へのリンクである。
【００２６】
ここでは、空間の見取図上で設備機器に対応するオブジェクト（機器オブジェクト）を選択した管理者は、当該設備機器の詳細情報に導かれるようになっている。従って、管理者は、設備機器の様子を詳細に把握することができる。
【００２７】
第９発明に係る機器管理装置は、第１発明から第８発明のいずれかに係る機器管理装置であって、第１表示制御部は、下位オブジェクトの形態を、当該下位オブジェクトに対応する下位空間内の少なくとも１つの設備機器が所定の条件に合致するか否かの条件判定部による判定の結果に応じて変化させる。
【００２８】
ここでは、下位オブジェクトの形態が、当該下位空間内の複数の設備機器のうち、少なくとも１つの設備機器が所定の条件を満たすか否かの結果に応じて変化する。従って、管理者は、下位空間内の複数の設備機器の状態を１の下位オブジェクトの形態により合理的に把握することができる。
【００２９】
第１０発明に係る機器管理装置は、第１発明から第９発明のいずれかに係る機器管理装置であって、第１表示制御部は、上位オブジェクトの形態を、当該上位オブジェクトに対応する上位空間内の少なくとも１つの設備機器が所定の条件に合致するか否かの条件判定部による判定の結果に応じて変化させる。
【００３０】
ここでは、上位オブジェクトの形態が、当該上位空間内の複数の設備機器のうち、少なくとも１台の設備機器が所定の条件を満たすか否かの結果に応じて変化する。従って、管理者は、上位空間内の複数の設備機器の状態を１の上位オブジェクトの形態により合理的に把握することができる。
【００３１】
第１１発明に係る機器管理装置は、第１発明から第１０発明のいずれかに係る機器管理装置であって、所定の条件は、除外条件と抽出条件とを組み合わせたものである。条件判定部は、除外条件に合致せず、かつ、抽出条件に合致する設備機器を所定の条件に合致するものと判定する。
【００３２】
ここでは、ある条件（除外条件）を満たす設備機器が除外された上で、残りの設備機器が別のある条件（抽出条件）を満たすか否かがチェックされ、その結果が、ツリー構造に（より正確には、下位オブジェクトの形態に）反映される。これにより、より合理的な設備機器の状態のチェックが実現される。
【００３３】
第１２発明に係る機器管理装置は、第１１発明に係る機器管理装置であって、設定入力部をさらに備える。設定入力部は、除外条件の設定入力を受け付ける。
【００３４】
ここでは、管理者が除外条件を設定することができる。これにより、管理者は、設備機器の状態を適切にチェックすることができる。
【００３５】
第１３発明に係る機器管理装置は、第１発明から第１２発明のいずれかに係る機器管理装置であって、ロジック記憶部と、ロジック実行部とをさらに備える。ロジック記憶部は、制御ロジックを記憶する。ロジック実行部は、設備機器が所定の条件に合致するか否かの判定の結果に応じて条件判定部が出力する信号をトリガとして制御ロジックを実行する。
【００３６】
ここでは、下位オブジェクトの形態を決定するための条件が満たされることをトリガとして、制御ロジックが実行される。これにより、下位オブジェクトの形態にリンクする制御を行うことができる。
【００３７】
第１４発明に係る機器管理装置は、第１発明から第１３発明のいずれかに係る機器管理装置であって、名称記憶部をさらに備える。名称記憶部は、設備機器のそれぞれの機器名称を記憶する。第１表示制御部は、ツリー構造を名称記憶部内の機器名称を参照して、自動的に作成する。
【００３８】
ここでは、例えば、機器名称を所定のルールに従って命名するだけで、ツリー構造を自動的に作成することができる。
【００３９】
第１５発明に係る機器管理装置は、第１発明から第１４発明のいずれかに係る機器管理装置であって、要求元特定部と、条件式記憶部とをさらに備える。要求元特定部は、管理画面を要求する要求元を特定する。条件式記憶部は、所定の条件を要求元に関連付けて記憶する。第１表示制御部は、要求元特定部により特定された要求元に提供する管理画面上における下位オブジェクトの形態を、当該下位オブジェクトに対応する下位空間内の設備機器が、当該要求元に関連付けられている所定の条件に合致するか否かの条件判定部による判定の結果に応じて変化させる。
【００４０】
ここでは、機器管理装置にアクセスする要求元ごとに所定の条件を定義可能である。従って、異なる要求元に対し、異なる表示形式の管理画面を提供可能である。
【発明の効果】
【００４１】
第１発明に係る機器管理装置では、管理画面を見た管理者は、下位オブジェクトの形態により、設備機器の状態を直感的に理解することができる。これにより、複数の設備機器を合理的に管理することができる。また、管理者は、上位オブジェクトの形態により、設備機器の状態を直感的に理解することができる。
【００４２】
第３発明に係る機器管理装置では、管理画面を見た管理者は、下位オブジェクトの形態により、設備機器の状態を直感的に理解することができる。これにより、複数の設備機器を合理的に管理することができる。また、管理者は、下位オブジェクトの形態によって設備機器のより複雑な状態を判断することができる。
【００４３】
第４発明に係る機器管理装置では、管理画面を見た管理者は、下位オブジェクトの形態により、設備機器の状態を直感的に理解することができる。これにより、複数の設備機器を合理的に管理することができる。また、管理者は、上位オブジェクトの形態により、設備機器の状態を直感的に理解することができる。また、管理者は、上位オブジェクトの形態によって設備機器のより複雑な状態を判断することができる。
【００４４】
第５発明に係る機器管理装置では、オブジェクトの形態を決定するための複数の条件式間の優先順位を、管理者が定義することができる。
【００４５】
第６発明に係る機器管理装置では、管理者は、ツリー構造を介して所望の空間を容易に選択するとともに、模式図を介して選択中の空間の様子を直感的に理解することができる。
【００４６】
第７発明に係る機器管理装置では、管理者は、ツリー構造を介して所望の空間を容易に選択するとともに、模式図を介して選択中の空間内の設備機器の様子を直感的に理解することができる。
【００４７】
第８発明に係る機器管理装置では、管理者は、設備機器の様子を詳細に把握することができる。
【００４８】
第９発明に係る機器管理装置では、管理者は、下位空間内の複数の設備機器の状態を１の下位オブジェクトの形態により合理的に把握することができる。
【００４９】
第１０発明に係る機器管理装置では、管理者は、上位空間内の複数の設備機器の状態を１の上位オブジェクトの形態により合理的に把握することができる。
【００５０】
第１１発明に係る機器管理装置では、より合理的な設備機器の状態のチェックが実現される。
【００５１】
第１２発明に係る機器管理装置では、管理者は、設備機器の状態を適切にチェックすることができる。
【００５２】
第１３発明に係る機器管理装置では、下位オブジェクトの形態にリンクする制御を行うことができる。
【００５３】
第１４発明に係る機器管理装置では、例えば、機器名称を所定のルールに従って命名するだけで、ツリー構造を自動的に作成することができる。
【００５４】
第１５発明に係る機器管理装置では、異なる要求元に対し、異なる表示形式の管理画面を提供可能である。
【発明を実施するための最良の形態】
【００５５】
以下、図面を参照して、本発明の実施形態に係る親コントローラ３０（機器管理装置）を含む群管理システム１００について説明する。
【００５６】
＜第１実施形態＞
（１）全体構成
図１に示す群管理システム１００は、施設１内に設置されている空調設備１０（設備機器）を管理するためのシステムである。施設１は、その広大な敷地内に複数の建物１ａ，１ｂ，・・・を有する大学である。建物１ａ，１ｂ，・・・内には、それぞれ空調設備１０に含まれる室内ユニット１０ａ，１０ｂ，・・・が複数台ずつ設置されている。同じ建物１ａ，１ｂ，・・・内の複数台の室内ユニット１０ａ，１０ｂ，・・・は、それぞれ群管理システム１００による管理上仮想的にまとめられ、室内ユニット群１５ａ，１５ｂ，・・・を構成している。
【００５７】
群管理システム１００は、複数の室内ユニット群１５ａ，１５ｂ，・・・をそれぞれ管理する複数の子コントローラ２０ａ，２０ｂ，・・・と、複数の子コントローラ２０ａ，２０ｂ，・・・を束ねる親コントローラ３０とを含む。子コントローラ２０ａ，２０ｂ，・・・は、それぞれ建物１ａ，１ｂ，・・・内の管理室に１台ずつ設置され、同じ建物１ａ，１ｂ，・・・内の複数台の室内ユニット１０ａ，１０ｂ，・・・に空調設備１０用の専用制御線５ｂを介して接続されている。親コントローラ３０は、建物１ａ内の管理室に子コントローラ２０ａとともに設置され、子コントローラ２０ａ，２０ｂ，・・・にローカルエリアネットワーク（以下、ＬＡＮ）５ａを介して接続されている。なお、ＬＡＮ５ａには、子コントローラ２０ａ，２０ｂ，・・・および親コントローラ３０の他、空調設備１０の管理とは直接的に関係しない、施設１内の利用者が通常業務のために使用するパーソナルコンピュータやプリンタ等のネットワーク機器（図示されない）も接続されている。
【００５８】
（２）室内ユニットの構成
以下、図２を参照しつつ、室内ユニット１０ａについて説明するが、その他の室内ユニット１０ｂ，・・・についても同様であるものとする。
【００５９】
各室内ユニット１０ａは、制御部１２を有している。同じ冷媒回路に属する室内ユニット１０ａの制御部１２どうしは、空調設備１０用の専用制御線５ｂを介して互いに接続されている。また、各制御部１２は、空調設備１０用の専用制御線５ｂを介して同じ冷媒回路に属する室外ユニット（図示されない）および子コントローラ２０ａにも接続されている。
【００６０】
各制御部１２は、リモコン１４、子コントローラ２０ａ又は親コントローラ３０を介して入力された利用者からの運転指令（例えば、室内ユニット１０ａの起動又は停止を命じたり、室内ユニット１０ａの設定温度の変更を命じたり、室内ユニット１０ａの運転モードの変更を命じたりするもの）に従って、同じ冷媒回路に属する室外ユニットの制御部（図示されない）と協調しつつ、冷媒回路に含まれる各種部品の動作を制御し、室内を冷房又は暖房する。具体的には、圧縮機の周波数、ファンの回転数および各種弁の開度の調整等を行う。なお、リモコン１４は、主として一般の利用者から室内ユニット１０ａに対する運転指令を受け付けるためものであり、室内ユニット１０ａの制御部１２に１対１、あるいは、１対多で、他のコントローラ２０ａ，３０等を介することなく直接的に接続されている。
【００６１】
各制御部１２には、温度センサ１２ａ、湿度センサ１２ｂおよびＣＯ2濃度センサ１２ｃが１対１で接続されている。温度センサ１２ａ、湿度センサ１２ｂおよびＣＯ2濃度センサ１２ｃは、室内ユニット１０ａの空気の吸い込み口付近に取り付けられており、それぞれ室内ユニット１０ａの周辺の温度、湿度およびＣＯ2濃度を検出する。
【００６２】
また、各制御部１２は、室内ユニット１０ａの運転状態に関する情報（室内ユニット１０ａの周辺の温度、湿度およびＣＯ2濃度、起動／停止等の起動状態、設定温度、ならびに、冷房／暖房／送風等の運転モードを示す情報を含む。以下、運転情報という。）を子コントローラ２０ａからの命令に応じて子コントローラ２０ａに送信する。
【００６３】
（３）子コントローラの構成
以下、図３を参照しつつ、子コントローラ２０ａについて説明するが、その他の子コントローラ２０ｂ，・・・についても同様であるものとする。
【００６４】
子コントローラ２０ａは、建物１ａ内の管理室に設置され、当該管理室に所属する管理者によって操作される。子コントローラ２０ａは、主としてＬＡＮ側通信部２１ａ、空調側通信部２１ｂ、制御部２２、表示部２３、入力部２４および記憶部２５から構成され、室内ユニット群１５ａに含まれる室内ユニット１０ａを監視および制御する。
【００６５】
ＬＡＮ側通信部２１ａは、子コントローラ２０ａをＬＡＮ５ａに接続するネットワークインターフェースであり、親コントローラ３０との間で各種信号の授受を行う。空調側通信部２１ｂは、子コントローラ２０ａを専用制御線５ｂに接続するネットワークインターフェースであり、室内ユニット１０ａとの間で各種信号の授受を行う。
【００６６】
制御部２２は、主としてＣＰＵ、ＲＯＭおよびＲＡＭから構成されており、記憶部２５に記憶されているプログラムを読み出して実行する。例えば、制御部２２は、所定の時間間隔で（本実施形態では、１分毎に）、室内ユニット群１５ａに含まれる各室内ユニット１０ａの運転情報を当該室内ユニット１０ａの制御部１２から取得し、親コントローラ３０に送信する。さらに、制御部２２は、所定の時間間隔で（本実施形態では、１分毎に）、室内ユニット１０ａの運転情報だけでなく、室外ユニットの運転状態に関する情報（圧縮機の周波数、ならびに、冷媒の温度および圧力を示す情報を含む。以下、運転情報という。）も取得する。
【００６７】
また、制御部２２は、所定の時間間隔で（本実施形態では、１分毎に）、記憶部２５内の所定の時間分の室内ユニット１０ａおよび室外ユニットの運転情報に基づき、室内ユニット１０ａおよび室外ユニットにおける異常の有無を判断する。異常と判断される場合には、その旨を直ちに表示部２３に表示させるとともに、親コントローラ３０に伝える。
【００６８】
また、制御部２２は、ＬＡＮ側通信部２１ａを介して親コントローラ３０から室内ユニット１０ａに対する運転指令を受信すると、空調側通信部２１ｂを介して当該運転指令を当該室内ユニット１０ａに送信する。
【００６９】
表示部２３は、主としてディスプレイから構成されており、入力部２４は、主として当該ディスプレイを覆うタッチパネルおよび操作ボタンから構成されている。
【００７０】
記憶部２５には、運転情報記憶領域が確保されている。当該運転情報記憶領域には、制御部２２の取得する室内ユニット１０ａおよび室外ユニットの運転情報が所定の時間分蓄積される。
【００７１】
（４）親コントローラ３０の構成
親コントローラ３０は、通常のパーソナルコンピュータであり、図４に示すように、主として通信部３１、制御部３２、表示部３３、入力部３４および記憶部３５から構成されている。親コントローラ３０は、施設１内の空調設備１０全体を管理する管理室（建物１ａ内に存在）に設置され、当該管理室に所属する統括管理者によって操作される。
【００７２】
通信部３１は、親コントローラ３０をＬＡＮ５ａに接続するネットワークインターフェースであり、子コントローラ２０ａ，２０ｂ，・・・との間で各種信号の授受を行う。
【００７３】
制御部３２は、主としてＣＰＵ、ＲＯＭおよびＲＡＭから構成されており、記憶部３５に記憶されているプログラムを読み出して実行することにより、監視部３２ａ、運転制御部３２ｂ、条件判定部３２ｃ、第１表示制御部３２ｄ、第２表示制御部３２ｅ、第３表示制御部３２ｆおよびロジック実行部３２ｇとして動作する。
【００７４】
監視部３２ａは、子コントローラ２０ａ，２０ｂ，・・・を介してそれぞれ室内ユニット１０ａ，１０ｂ，・・・の運転情報を収集する。運転制御部３２ｂは、子コントローラ２０ａ，２０ｂ，・・・を介してそれぞれ室内ユニット１０ａ，１０ｂ，・・・の制御部１２に運転指令を送信することにより、室内ユニット１０ａ，１０ｂ，・・・の運転を制御する。また、運転制御部３２ｂは、入力部３４を介しての室内ユニット１０ａ，１０ｂ，・・・の運転スケジュールの登録を受け付けており、運転スケジュールに沿って適当なタイミングで適当な運転指令を適当な室内ユニット１０ａ，１０ｂ，・・・に送信する。条件判定部３２ｃは、記憶部３５内の検索条件Ｃ１，Ｃ２，・・・（後述する）に合致する室内ユニット１０ａ，１０ｂ，・・・を検索する。第１表示制御部３２ｄ、第２表示制御部３２ｅおよび第３表示制御部３２ｆは、条件判定部３２ｃと協調しつつ、表示部３３上に表示される室内ユニット１０ａ，１０ｂ，・・・の管理画面を作成する。ロジック実行部３２ｇは、記憶部３５内の制御ロジックＬ１，Ｌ２，・・・を実行する。各部３２ａ〜３２ｇの動作の詳細については、後述する。
【００７５】
表示部３３は、主としてディスプレイから構成されており、入力部３４は、主としてマウスおよびキーボードから構成されている。
【００７６】
記憶部３５は、主としてハードディスクから構成されており、施設１全体および施設１を構成する各空間の見取図が格納される見取図データベース３５ａと、室内ユニット１０ａ，１０ｂ，・・・の基本情報が格納される基本情報データベース３５ｂと、室内ユニット１０ａ，１０ｂ，・・・の運転情報が蓄積される運転情報データベース３５ｃと、室内ユニット１０ａ，１０ｂ，・・・および室外ユニットにおける異常に関する情報（以下、異常情報）が格納される異常履歴データベース３５ｄとを有している。その他、入力部３４を介して入力された室内ユニット１０ａ，１０ｂ，・・・の運転スケジュールに関する情報も、記憶部３５内に記憶される。
【００７７】
ａ）見取図データベース
図５に示すように、見取図データベース３５ａは、階層構造を有するデータベースである。より具体的には、見取図データベース３５ａ内には、施設１全体の概略平面図、施設１を構成する建物１ａ，１ｂ，・・・の概略側面図および建物１ａ，１ｂ，・・・を構成する単位空間の概略平面図が、施設１の現実の物理的な空間構造に対応するように階層的に格納されている。すなわち、見取図データベース３５ａの階層構造上、最上位には施設１全体の概略平面図が位置付けられ、その１つ下位には建物１ａ，１ｂ，・・・の概略側面図が位置付けられ、その１つ下位つまり最下位には単位空間の概略平面図が位置付けられている。
【００７８】
単位空間の概略平面図は、壁、柱、ドア、階段等が図示された画像データである。単位空間の概略平面図を構成する各点には、２次元座標が割り当てられている。
【００７９】
見取図データベース３５ａ内の各見取図には、当該見取図がどの空間に対応するのかを示すインデックス情報が付加されている。当該インデックス情報を集合させると、施設１の現実の空間構造を示す情報になる。
【００８０】
ｂ）基本情報データベース
図６に示すように、基本情報データベース３５ｂは、「機器ＩＤ」「建物」「単位空間」「座標」「導入日」「定格電力」および「常時運転」フィールドを有する表形式のデータベースである。
【００８１】
基本情報データベース３５ｂ内のレコードは、空調設備１０に含まれる室内ユニット１０ａ，１０ｂ，・・・に１対１で対応しており、１のレコードは、１の室内ユニット１０ａ，１０ｂ，・・・の位置情報その他の属性情報を含む基本情報を記録するものである。室内ユニット１０ａ，１０ｂ，・・・の位置は、「建物」「単位空間」および「座標」フィールドの値の組み合わせにより特定される。
【００８２】
「機器ＩＤ」フィールドには、室内ユニット１０ａ，１０ｂ，・・・の機器ＩＤが格納される。「建物」フィールドには、当該室内ユニット１０ａ，１０ｂ，・・・が設置されている建物１ａ，１ｂ，・・・の名称が格納され、「単位空間」フィールドには、当該室内ユニット１０ａ，１０ｂ，・・・が設置されている単位空間の名称が格納され、「座標」フィールドには、当該室内ユニット１０ａ，１０ｂ，・・・の設置場所を示す、当該単位空間の概略平面図に割り当てられている２次元座標を基準とする座標情報が格納される。
【００８３】
「導入日」フィールドには、当該室内ユニット１０ａ，１０ｂ，・・・が施設１内に導入された日が格納され、「定格電力」フィールドには、当該室内ユニット１０ａ，１０ｂ，・・・の定格電力が格納され、「常時運転」フィールドには、コンピュータサーバルームに配置されている等の理由で、当該室内ユニット１０ａ，１０ｂ，・・・が常時運転すべきものである場合には値「１」が格納され、それ以外の場合には値「０」が格納される。
【００８４】
ｃ）運転情報データベース
図７に示すように、運転情報データベース３５ｃは、「機器ＩＤ」「時刻」「室内温度」「湿度」「ＣＯ2濃度」「起動状態」「設定温度」および「運転モード」フィールドを有する表形式のデータベースである。
【００８５】
運転情報データベース３５ｃ内の各レコードは、ある時刻におけるある室内ユニット１０ａ，１０ｂ，・・・の運転情報を記録するものである。
【００８６】
運転情報データベース３５ｃは、所定の時間間隔で（本実施形態では、１分ごとに）、監視部３２ａによって更新される。すなわち、監視部３２ａは、所定の時間間隔で（本実施形態では、１分ごとに）、子コントローラ２０ａ，２０ｂ，・・・を介してそれぞれ室内ユニット１０ａ，１０ｂ，・・・の運転情報を受信する。そして、監視部３２ａは、当該運転情報を運転情報データベース３５ｃのデータ構造に合わせて整形し、新たなレコードとして運転情報データベース３５ｃに格納する。なお、新たなレコードの「時刻」フィールドには、その元となる運転情報の受信時刻が格納される。
【００８７】
ｄ）異常履歴データベース
図８に示すように、異常履歴データベース３５ｄは、「機器ＩＤ」「発生日時」「種別」および「処置済み」フィールドを有する表形式のデータベースである。
【００８８】
監視部３２ａは、子コントローラ２０ａ，２０ｂ，・・・から室内ユニット１０ａ，１０ｂ，・・・又は室外ユニットにおける異常の通知を受け取ると、異常履歴データベース３５ｄ内に当該異常に対応するレコードを新規作成する。
【００８９】
「機器ＩＤ」フィールドには、当該異常の発生した室内ユニット１０ａ，１０ｂ，・・・又は室外ユニットの機器ＩＤが格納され、「発生日時」フィールドには、当該異常の発生日時が格納され、「種別」フィールドには、当該異常の種別が格納される。「処置済み」フィールドには、当該異常に対する処置が終了したことを示す情報が入力されると、値「処置済み」が格納されるが、当該入力がされる前は値「未処置」が格納されている。
【００９０】
（５）管理画面
図９〜図１１に示す管理画面は、統括管理者による室内ユニット１０ａ，１０ｂ，・・・の管理に供する画面であり、親コントローラ３０の第１表示制御部３２ｄ、第２表示制御部３２ｅおよび第３表示制御部３２ｆにより作成され、親コントローラ３０の表示部３３上に表示される。
【００９１】
管理画面は、主として３つの領域Ａ１〜Ａ３に分割されている。左側の領域Ａ１には、ツリー構造Ｔが表示され、中央に大きく広がる領域Ａ２には、施設１全体又は施設１を構成する空間の模式図が表示され、右側の領域Ａ３には、各種操作ボタンＢ１〜Ｂ６が表示される。左側の領域Ａ１は、第１表示制御部３２ｄにより表示制御され、中央の領域Ａ２は、第２表示制御部３２ｅにより表示制御され、右側の領域Ａ３は、第３表示制御部３２ｆにより表示制御される。
【００９２】
ａ）ツリー構造
図９〜図１１に示すように、左側の領域Ａ１内のツリー構造Ｔは、左右に並ぶ正方形のアイコンと文字とからなる複数のオブジェクトＯ１〜Ｏ３をツリー状に配列したものである。より具体的には、ツリー構造Ｔは、施設１全体に対応するオブジェクトＯ１をルートオブジェクトとし、オブジェクトＯ１から建物１ａ，１ｂ，・・・に対応するオブジェクトＯ２が分岐し、さらに各オブジェクトＯ２から単位空間に対応するオブジェクトＯ３が分岐した態様となっている。なお、オブジェクトＯ２は、建物１ａ，１ｂ，・・・に１対１で対応し、各オブジェクトＯ２から分岐するオブジェクトＯ３は、当該オブジェクトＯ２に対応する建物１ａ，１ｂ，・・・内の単位空間に１対１で対応する。第１表示制御部３２ｄは、見取図データベース３５ａを参照し、そのデータ構造のとおりにオブジェクトＯ１〜Ｏ３を配列することにより、ツリー構造Ｔを形成する。
【００９３】
各オブジェクトＯ１〜Ｏ３に含まれる文字は、見取図データベース３５ａ内のインデックス情報に基づいて決定される。すなわち、施設１全体に対応するオブジェクトＯ１に含まれる文字は、施設１全体の見取図に付加されているインデックス情報に基づいて「施設１」に決定され、建物１ａに対応するオブジェクトＯ２に含まれる文字は、建物１ａの見取図に付加されているインデックス情報に基づいて「建物１ａ」に決定され、建物１ａ内の４階北側を占める単位空間に対応するオブジェクＯ３に含まれる文字は、建物１ａ内の４階北側を占める単位空間の見取図に付加されているインデックス情報に基づいて「４階北側」に決定される。
【００９４】
各オブジェクトＯ１〜Ｏ３に含まれるアイコンは、当該オブジェクトＯ１〜Ｏ３に対応する空間（施設１全体、建物１ａ，１ｂ，・・・又は単位空間）内の室内ユニット１０ａ，１０ｂ，・・・の状態に応じて色が変わる。なお、各室内ユニット１０ａ，１０ｂ，・・・の状態は、条件判定部３２ｃにより判定される。第１表示制御部３２ｄは、当該判定の結果に応じて各アイコンに付すべき色を判断し、当該アイコンの色を変化させる。
【００９５】
より具体的には、条件判定部３２ｃは、所定の時間間隔で（本実施形態では、１分ごとに）、基本情報データベース３５ｂ、運転情報データベース３５ｃおよび異常履歴データベース３５ｄを参照し、各室内ユニット１０ａ，１０ｂ，・・・が記憶部３５内の検索条件Ｃ１，Ｃ２，・・・に合致するか否かを判断してゆく。一方、第１表示制御部３２ｄは、所定の時間間隔で（本実施形態では、１分ごとに）、各空間（施設１全体、建物１ａ，１ｂ，・・・又は単位空間）に対応するアイコンの色を決定してゆく。アイコンの色は、当該アイコンに対応する空間内の少なくとも１台の室内ユニット１０ａ，１０ｂ，・・・が検索条件Ｃ１を満たす場合には、第１色、検索条件Ｃ１を満たさないが検索条件Ｃ２を満たす場合には、第２色、というような方式で決定される。言い換えると、検索条件Ｃ１，Ｃ２，・・・には互いに異なる色が予め対応付けられており、アイコンに付される色は、合致する検索条件Ｃ１，Ｃ２，・・・に対応する色となるが、複数の検索条件Ｃ１，Ｃ２，・・・に合致する場合には、検索条件Ｃ１，Ｃ２，・・・の順で優先される。なお、いずれの検索条件Ｃ１，Ｃ２，・・・をも満たさない場合には、デフォルト色となる。
【００９６】
以上により、統括管理者は、ツリー構造Ｔのアイコンを見るだけで、当該アイコンに対応する空間内の室内ユニット１０ａ，１０ｂ，・・・に発生している異常等の事実（より正確には、当該アイコンに対応する空間内の室内ユニット１０ａ，１０ｂ，・・・の少なくとも１台が検索条件Ｃ１，Ｃ２，・・・に合致しているか否か）をすばやく察知することができる。なお、記憶部３５内の検索条件Ｃ１，Ｃ２，・・・の変更、追加および削除は、統括管理者が入力部２４を操作することにより、任意のタイミングで可能となっている。すなわち、統括管理者は、自身が監視したい事実がアイコンの色に反映されるよう、検索条件Ｃ１，Ｃ２，・・・を自由に設定することができる。
【００９７】
また、ツリー構造Ｔのアイコンの色を決定するに当たり考慮される検索条件Ｃ１，Ｃ２，・・・間の優先順位は、図１５に示される表示設定画面を介して統括管理者が変更できるようになっている。当該表示設定画面は、図９〜図１１に示す管理画面内の右側の領域Ａ３の下方に配置されている「アイコン表示設定」ボタンＢ６が押された時に、表示部３３上に開くようになっている。
【００９８】
表示設定画面上では、検索条件Ｃ１，Ｃ２，・・・の有効化、ならびに有効化されている検索条件Ｃ１，Ｃ２，・・・間の優先順位の決定を受け付けている。なお、ここでいう「有効化されている」とは、オブジェクトＯ１〜Ｏ３の色に反映されるという意味である。
【００９９】
図１５の登録済み検索条件リストＤ１には、組み込みの検索条件および別の画面を介して統括管理者により入力された検索条件が一覧表示される。統括管理者がリストＤ１の中から有効化しようとする検索条件Ｃ１，Ｃ２，・・・を選択した状態で「追加」ボタンＤ２を押すと、当該検索条件Ｃ１，Ｃ２，・・・が有効検索条件リストＤ４の最下位に追加される。反対に、有効検索条件リストＤ４に含まれている検索条件Ｃ１，Ｃ２，・・・を選択した状態で「削除」ボタンＤ３を押すと、当該検索条件Ｃ１，Ｃ２，・・・が有効検索条件リストＤ４の中から削除される。
【０１００】
有効検索条件リストＤ４内の検索条件Ｃ１，Ｃ２，・・・は、上から下に向かって優先順位の高い順番に並んでいる。当該順番は、「上げる」ボタンＤ５および「下げる」ボタンＤ６により変更可能になっている。より具体的には、ある検索条件の優先順位を上げたい場合には、有効検索条件リストＤ４内の当該検索条件を選択した状態で「上げる」ボタンＤ５を押す。一方、ある検索条件の優先順位を下げたい場合には、有効検索条件リストＤ４内の当該検索条件を選択した状態で「下げる」ボタンＤ６を押す。「上げる」ボタンＤ５または「下げる」ボタンＤ６がそれぞれ１回押されるたびに、優先順位は１つずつ変更されるようになっている。なお、有効検索条件リストＤ４内に検索条件が１つしか含まれていない場合には、優先順位を決定する必要がないため、「上げる」ボタンＤ５および「下げる」ボタンＤ６は無効化されている。
【０１０１】
そして、統括管理者が表示設定画面上で編集した情報は、検索条件Ｃ１，Ｃ２，・・・の本体データに関連付けられた態様で記憶部３５内に格納される。統括管理者が表示設定画面上で編集した情報とは、登録済みの全ての検索条件Ｃ１，Ｃ２，・・・のうち有効化されているものを示す情報、ならびに有効化されている検索条件Ｃ１，Ｃ２，・・・間の優先順位を示す情報である。記憶部３５内のかかる情報は、統括管理者が表示設定画面を介して有効検索条件リストＤ４内に表示される検索条件Ｃ１，Ｃ２，・・・を編集するたびに更新される。
【０１０２】
なお、「追加」「削除」「上げる」および「下げる」ボタンＤ１〜Ｄ６は、表示設定画面の上方のラジオボタンＤ７において「以下の設定を使用する」が選択されている場合にのみ操作を受け付けるボタンである。一方、ラジオボタンＤ７において「デフォルトの設定を使用する」が選択されている場合には、有効検索条件リストＤ４内に所定の検索条件Ｃ１，Ｃ２，・・・が所定の順番で表示されるとともに、ツリー構造Ｔのアイコンの色を決定するに当たり、当該検索条件Ｃ１，Ｃ２，・・・が当該順番で優先されることになる。
【０１０３】
従って、第１表示制御部３２ｄは、検索条件が１つしか有効化されていない場合には、当該検索条件に合致する室内ユニット１０ａ，１０ｂ，・・・が存在している空間（施設１全体、建物１ａ，１ｂ，・・・又は単位空間）に対応するアイコンを、当該検索条件に対応する色にする。一方、検索条件が２以上有効化されており、同じ空間（施設１全体、建物１ａ，１ｂ，・・・又は単位空間）内の室内ユニット１０ａ，１０ｂ，・・・が同時に複数の検索条件に合致する場合には、当該空間に対応するアイコンを、合致する検索条件のうち最も優先順位の高いものに対応する色にする。なお、「同じ空間内の室内ユニット１０ａ，１０ｂ，・・・が同時に複数の検索条件に合致する場合」には、１台の室内ユニットが同時に複数の検索条件に合致する場合、ならびにある１台の室内ユニットがある検索条件に合致し、かつ、別の１台の室内ユニットが別の検索条件に合致する場合の両方を含むものとする。
【０１０４】
また、各検索条件Ｃ１，Ｃ２，・・・は、抽出条件と、省略可能な除外条件とを組み合わせたものである。検索条件Ｃ１，Ｃ２，・・・に合致するとは、当該検索条件Ｃ１，Ｃ２，・・・に含まれる除外条件に合致せず、かつ、抽出条件に合致することを言う。
【０１０５】
検索条件Ｃ１は、除外条件が省略されており、異常が発生していることを抽出条件としている。従って、統括管理者は、アイコンの色から、室内ユニット１０ａ，１０ｂ，・・・における異常をチェックすることができる。なお、ある室内ユニット１０ａ，１０ｂ，・・・が検索条件Ｃ１に合致するか否かの判定は、条件判定部３２ｃにより、異常履歴データベース３５ｄを参照することにより行われる。
【０１０６】
その他の検索条件Ｃ２，・・・としては、例えば、以下のようなものが設定されている。
【０１０７】
第１の例としては、設定温度が２５℃より上であることを除外条件とし、室内温度が２５℃以下であり、かつ、運転中であることを抽出条件とするものが挙げられる。かかる場合、アイコンの色から、設定温度が２５℃以下と低めに設定されており、かつ、現実の室内温度が２５℃以下になっている冷やし過ぎの室内ユニット１０ａ，１０ｂ，・・・の消し忘れをチェックすることができる。なお、ある室内ユニット１０ａ，１０ｂ，・・・が当該検索条件に合致するか否かの判定は、条件判定部３２ｃにより、運転情報データベース３５ｃの「機器ＩＤ」「時刻」「室内温度」「設定温度」および「起動状態」フィールドの値を参照することにより行われる。
【０１０８】
また、第２の例としては、導入日が５年以内であることを除外条件とし、運転中であることを抽出条件とするものが挙げられる。かかる場合、アイコンの色から、５年より前に導入された古い室内ユニット１０ａ，１０ｂ，・・・の消し忘れをチェックすることができる。なお、ある室内ユニット１０ａ，１０ｂ，・・・が当該検索条件に合致するか否かの判定は、条件判定部３２ｃにより、基本情報データベース３５ｂの「機器ＩＤ」および「導入日」フィールドの値、ならびに、運転情報データベース３５ｃの「機器ＩＤ」「時刻」および「起動状態」フィールドの値を参照することにより行われる。
【０１０９】
また、第３の例としては、定格電力が所定値以下であることを除外条件とし、運転中であることを抽出条件とするものが挙げられる。かかる場合、アイコンの色から、消費電力の大きい室内ユニット１０ａ，１０ｂ，・・・の消し忘れをチェックすることができる。なお、ある室内ユニット１０ａ，１０ｂ，・・・が当該検索条件に合致するか否かの判定は、条件判定部３２ｃにより、基本情報データベース３５ｂの「機器ＩＤ」および「定格電力」フィールドの値、ならびに、運転情報データベース３５ｃの「機器ＩＤ」「時刻」および「起動状態」フィールドの値を参照することにより行われる。
【０１１０】
また、第４の例としては、常時運転用でないことを除外条件とし、停止中であることを抽出条件とするものが挙げられる。かかる場合、アイコンの色から、常時運転が要求される（例えば、コンピュータサーバルーム内の）室内ユニット１０ａ，１０ｂ，・・・が停止していないかをチェックすることができる。なお、ある室内ユニット１０ａ，１０ｂ，・・・が当該検索条件に合致するか否かの判定は、条件判定部３２ｃにより、基本情報データベース３５ｂの「機器ＩＤ」および「常時運転」フィールドの値、ならびに、運転情報データベース３５ｃの「機器ＩＤ」「時刻」および「起動状態」フィールドの値を参照することにより行われる。
【０１１１】
また、第５の例としては、運転スケジュールが登録されていることを除外条件とし、運転中であることを抽出条件とするものが挙げられる。かかる場合、アイコンの色から、統括管理者の意に反して運転している室内ユニット１０ａ，１０ｂ，・・・の消し忘れをチェックすることができる。なお、ある室内ユニット１０ａ，１０ｂ，・・・が当該検索条件に合致するか否かの判定は、条件判定部３２ｃにより、記憶部３５内の運転スケジュールに関する情報、ならびに、運転情報データベース３５ｃの「機器ＩＤ」「時刻」および「起動状態」フィールドの値を参照することにより行われる。
【０１１２】
また、最下位以外の階層の各オブジェクトＯ１，Ｏ２の左側には、折り畳みボタンが設けられている。折り畳みボタンが「＋」の状態の場合には、その右側のオブジェクト（つまり、１つ下位のオブジェクト）が非表示状態にあることを意味し、折り畳みボタンが「−」の状態の場合には、その右側のオブジェクト（つまり、１つ下位のオブジェクト）が表示中であることを意味する。
【０１１３】
ｂ）施設１全体および施設１を構成する各空間の模式図
図９〜図１１に示すように、中央の領域Ａ２には、統括管理者により入力部３４を介して現在選択されている空間（施設１全体、建物１ａ，１ｂ，・・・又は単位空間）の模式図が表示される。図９は、施設１全体が選択されている状態の画面例であり、図１０は、建物１ａが選択されている状態の画面例であり、図１１は、建物１ａ内の３階北側の単位空間が選択されている状態の画面例である。
【０１１４】
ｂ−１）施設全体の模式図
図９に示すように、第２表示制御部３２ｅは、ツリー構造Ｔ上で施設１全体に対応するオブジェクトＯ１が選択されたことを検知すると、見取図データベース３５ａからオブジェクトＯ１に対応する空間の見取図、すなわち、施設１全体の概略平面図を抽出し、領域Ａ２内に表示させる。
【０１１５】
施設１全体の概略平面図上の各建物１ａ，１ｂ，・・・に対応する部分は、オブジェクトＯ４化されており、当該建物１ａ，１ｂ，・・・内の室内ユニット１０ａ，１０ｂ，・・・の状態に合わせてその色が変わるようになっている。領域Ａ２内の建物１ａ，１ｂ，・・・に対応するオブジェクトＯ４には、ツリー構造Ｔ上の当該建物１ａ，１ｂ，・・・に対応するオブジェクトＯ２と同じ色が付されることになる。
【０１１６】
ｂ−２）各建物の模式図
図１０に示すように、第２表示制御部３２ｅは、ツリー構造Ｔ上でいずれかの建物１ａ，１ｂ，・・・に対応するオブジェクトＯ２が選択されたことを検知すると、見取図データベース３５ａから当該オブジェクトＯ２に対応する空間の見取図、すなわち、当該建物１ａ，１ｂ，・・・の概略側面図を抽出し、領域Ａ２内に表示させる。なお、領域Ａ２内に施設１全体の模式図が表示されている時に、その図上に配置されているオブジェクトＯ４が選択された場合にも、領域Ａ２内に建物１ａ，１ｂ，・・・の概略側面図が表示されることになる。
【０１１７】
建物１ａ，１ｂ，・・・の概略側面図上の各単位空間に対応する部分は、オブジェクトＯ５化されており、当該単位空間内の室内ユニット１０ａ，１０ｂ，・・・の状態に合わせてその色が変わるようになっている。領域Ａ２内の単位空間に対応するオブジェクトＯ５には、ツリー構造Ｔ上の当該単位空間に対応するオブジェクトＯ３と同じ色が付されることになる。
【０１１８】
ｂ−３）各単位空間の模式図
図１１に示すように、第２表示制御部３２ｅは、ツリー構造Ｔ上でいずれかの単位空間に対応するオブジェクトＯ３が選択されたことを検知すると、見取図データベース３５ａから当該オブジェクトＯ３に対応する空間の見取図、すなわち、当該単位空間の概略平面図を抽出し、領域Ａ２内に表示させる。なお、領域Ａ２内に建物１ａ，１ｂ，・・・の模式図が表示されている時に、その図上に配置されているオブジェクトＯ５が選択された場合にも、領域Ａ２内に単位空間の概略平面図が表示されることになる。
【０１１９】
さらに、第２表示制御部３２ｅは、領域Ａ２内に表示されている当該単位空間の概略平面図上に、当該単位空間内に設置されている室内ユニット１０ａ，１０ｂ，・・・に対応するオブジェクトＯ６を配置する。より具体的には、第２表示制御部３２ｅは、基本情報データベース３５ｂ内を検索して「建物」および「単位空間」フィールドに現在選択されている単位空間を特定する情報が格納されているレコードを抽出し、抽出した１又は複数のレコードの「座標」フィールドの値のとおりに１又は複数のオブジェクトＯ６を配置する。
【０１２０】
各オブジェクトＯ６は、アイコンと文字とからなる。
【０１２１】
各オブジェクトＯ６に含まれる文字は、基本情報データベース３５ｂ内の、当該オブジェクトＯ６に対応するレコードの「機器ＩＤ」フィールドの値となる。
【０１２２】
また、各オブジェクトＯ６に含まれるアイコンは、当該オブジェクトＯ６に対応する室内ユニット１０ａ，１０ｂ，・・・の状態に合わせてその色が変わるようになっている。領域Ａ２内のアイコンの色の決定は、第１表示制御部３２ｄがツリー構造Ｔ上のアイコンに付する色を決定する場合と同様に行われる。
【０１２３】
すなわち、第２表示制御部３２ｅは、条件判定部３２ｃによる判定の結果に応じて、所定の時間間隔で（本実施形態では、１分ごとに）、各オブジェクトＯ６に含まれるアイコンの色を決定してゆく。オブジェクトＯ６に含まれるアイコンの色は、当該アイコンに対応する室内ユニット１０ａ，１０ｂ，・・・が検索条件Ｃ１を満たす場合には、第１色、検索条件Ｃ１を満たさないが検索条件Ｃ２を満たす場合には、第２色、というような方式で決定され、いずれの検索条件Ｃ１，Ｃ２，・・・をも満たさない場合には、デフォルト色となる。なお、検索条件Ｃ１，Ｃ２，・・・間の優先順位は、ツリー構造Ｔに含まれるアイコンの色が決定される場合と同じく、統括管理者が図１５に示す表示設定画面を介して設定したものとなる。
【０１２４】
以上により、統括管理者は、領域Ａ２内のアイコンを見るだけで、当該アイコンに対応する室内ユニット１０ａ，１０ｂ，・・・に発生している異常等の事実（より正確には、当該アイコンに対応する室内ユニット１０ａ，１０ｂ，・・・が検索条件Ｃ１，Ｃ２，・・・に合致しているか否か）をすばやく察知することができる。
【０１２５】
ｃ）操作ボタン
図９〜図１１に示すように、右側の領域Ａ３には、複数の操作ボタンＢ１〜Ｂ５が表示されている。操作ボタンＢ１〜Ｂ４は、領域Ａ２内に施設１全体又は建物１ａ，１ｂ，・・・の模式図が表示されている間は無効化されており、領域Ａ２内に単位空間の模式図が表示されている間は有効になっている。
【０１２６】
領域Ａ２内に単位空間の模式図が表示されている間、統括管理者は、入力部３４を介して、当該模式図上のいずれかのオブジェクトＯ６を選択することができる。
【０１２７】
そして、あるオブジェクトＯ６が選択されている状態で、統括管理者により「起動」ボタンＢ１が押されると、運転制御部３２ｂは、当該オブジェクトＯ６に対応する室内ユニット１０ａ，１０ｂ，・・・の制御部１２に、当該室内ユニット１０ａ，１０ｂ，・・・の属する子コントローラ２０ａ，２０ｂ，・・・を介して、起動を命じる運転指令を送信する。従って、統括管理者は、管理画面を介して、室内ユニット１０ａ，１０ｂ，・・・を容易に起動できるようになっている。
【０１２８】
同様に、あるオブジェクトＯ６が選択されている状態で、統括管理者により「停止」ボタンＢ２が押されると、運転制御部３２ｂは、当該オブジェクトＯ６に対応する室内ユニット１０ａ，１０ｂ，・・・の制御部１２に、当該室内ユニット１０ａ，１０ｂ，・・・の属する子コントローラ２０ａ，２０ｂ，・・・を介して、停止を命じる運転指令を送信する。従って、統括管理者は、管理画面を介して、室内ユニット１０ａ，１０ｂ，・・・を容易に停止できるようになっている。
【０１２９】
一方、あるオブジェクトＯ６が選択されている状態で、統括管理者により「設定」ボタンＢ３が押されると、表示部３３上に、当該オブジェクトＯ６に対応する室内ユニット１０ａ，１０ｂ，・・・の運転パラメータ（設定温度、運転モード等）の変更を受け付ける設定変更ウィンドウが表示される。設定変更ウィンドウ上で運転パラメータが変更されると、運転制御部３２ｂは、当該室内ユニット１０ａ，１０ｂ，・・・の制御部１２に、当該室内ユニット１０ａ，１０ｂ，・・・の属する子コントローラ２０ａ，２０ｂ，・・・を介して、運転パラメータの変更を命じる運転指令を送信する。従って、統括管理者は、管理画面を介して、室内ユニット１０ａ，１０ｂ，・・・の運転パラメータを容易に変更できるようになっている。
【０１３０】
一方、あるオブジェクトＯ６が選択されている状態で、統括管理者により「詳細情報」ボタンＢ４が押されると、表示部３３上に、当該オブジェクトＯ６に対応する室内ユニット１０ａ，１０ｂ，・・・の詳細情報を示す詳細情報ウィンドウが表示される。詳細情報ウィンドウには、当該室内ユニット１０ａ，１０ｂ，・・・に関する、基本情報データベース３５ｂに格納されている基本情報、運転情報データベース３５ｃに格納されている運転情報および異常履歴データベース３５ｄに格納されている異常情報等が表示される。また、オブジェクトO６が所定の方法（入力部３４のマウスをダブルクリックするなど）で選択された場合にも、上記詳細情報ウィンドウが表示されるようになっている。従って、統括管理者は、管理画面を介して、室内ユニット１０ａ，１０ｂ，・・・の詳細情報に容易にアクセスすることができるようになっている。
【０１３１】
また、統括管理者により、入力部３４を介して「凡例」ボタンＢ５が押されると、表示部３３上に、各オブジェクトＯ１〜Ｏ６又はそれに含まれるアイコンに付される色の凡例を表示する凡例表示ウィンドウが開くようになっている。従って、統括管理者は、オブジェクトＯ１〜Ｏ６又はそれに含まれるアイコンの色の意味を容易に知ることができる。
【０１３２】
（６）制御ロジック
親コントローラ３０の記憶部３５内には、制御ロジックＬ１，Ｌ２，・・・が記憶されている。制御ロジックＬ１，Ｌ２，・・・の実体は、条件判定部３２ｃから出力される信号によってトリガされるプログラムであり、当該プログラムは、そのトリガとなる信号の種類に対応付けられて記憶されている。なお、１の制御ロジックＬ１，Ｌ２，・・・には、トリガとなる信号を１種類以上対応付けることができる。
【０１３３】
上述したように、条件判定部３２ｃは、所定の時間間隔で、データベース３５ｂ〜３５ｄを参照し、各室内ユニット１０ａ，１０ｂ，・・・が記憶部３５内の検索条件Ｃ１，Ｃ２，・・・に合致するか否かを判断している。そして、さらに、条件判定部３２ｃは、ある室内ユニット１０ａ，１０ｂ，・・・がある検索条件Ｃ１，Ｃ２，・・・に合致すると判断する度に、その旨を示す信号をロジック実行部３２ｇに向けて出力する。すなわち、当該信号は、１の室内ユニット１０ａ，１０ｂ，・・・を特定する情報と、１の検索条件Ｃ１，Ｃ２，・・・を特定する情報とを有している。一方、ロジック実行部３２ｇは、当該信号を受信する度に、記憶部３５内に当該信号をトリガとする制御ロジックＬ１，Ｌ２，・・・が存在するか否かを確認し、存在すれば、かかる制御ロジックＬ１，Ｌ２，・・・を実行する。
【０１３４】
制御ロジックＬ１，Ｌ２，・・・としては、以下のようなものがある。
【０１３５】
第１の例としては、ある特定の室内ユニット１０ａ，１０ｂ，・・・がある特定の検索条件Ｃ１，Ｃ２，・・・（異常が発生していること等）を満たしていることを示す信号を受信すると、親コンピュータ３０の音声出力部（図示されない）にブザー音を出力させるというものが挙げられる。
【０１３６】
また、第２の例としては、ある特定の室内ユニット１０ａ，１０ｂ，・・・がある特定の検索条件Ｃ１，Ｃ２，・・・（異常が発生していること等）を満たしていることを示す信号を受信すると、登録されているメールアドレスに電子メールを送信するというものが挙げられる。電子メールの送信先として当該室内ユニット１０ａ，１０ｂ，・・・が存在する建物１ａ，１ｂ，・・・を担当する管理者のメールアドレスが登録されている場合には、室内ユニット１０ａ，１０ｂ，・・・に生じている異常等の事実（より正確には、当該室内ユニット１０ａ，１０ｂ，・・・が当該検索条件Ｃ１，Ｃ２，・・・に合致していること）を当該管理者に迅速に伝えることができる。
【０１３７】
また、第３の例としては、ある特定の室内ユニット１０ａ，１０ｂ，・・・がある特定の検索条件Ｃ１，Ｃ２，・・・（室内温度が所定の温度範囲外にある等）を満たしていることを示す信号を受信すると、デマンド抑制制御を実行するというものが挙げられる。
【０１３８】
〈特徴〉
（１）
上記実施形態では、施設１が、施設１全体、建物１ａ，１ｂ，・・・および単位空間にそれぞれ対応するオブジェクトＯ１〜Ｏ３を要素とするツリー構造Ｔとして表現されるようになっている。そして、各オブジェクトＯ１〜Ｏ３の色が、当該オブジェクトＯ１〜Ｏ３に対応する空間内の室内ユニット１０ａ，１０ｂ，・・・の状態に応じて変化する。従って、統括管理者は、オブジェクトＯ１〜Ｏ３の形態により、室内ユニット１０ａ，１０ｂ，・・・の状態を直感的に理解することができる。
【０１３９】
（２）
上記実施形態では、ツリー構造Ｔとともに、ツリー構造Ｔ上で選択中の空間（施設１全体、建物１ａ，１ｂ，・・・又は単位空間）の模式図が表示される。従って、統括管理者は、ツリー構造Ｔを介して所望の空間を容易に選択するとともに、模式図を介して選択中の空間の様子を直感的に理解することができる。
【０１４０】
（３）
上記実施形態では、単位空間に対応する模式図（図１１参照）上のオブジェクトＯ６が、当該オブジェクトＯ６に対応する室内ユニット１０ａ，１０ｂ，・・・の詳細情報へのリンクとなっている。従って、統括管理者は、室内ユニット１０ａ，１０ｂ，・・・の詳細情報に容易にアクセスすることができる。
【０１４１】
（４）
上記実施形態では、オブジェクトＯ１〜Ｏ６に含まれるアイコンの色を決定するための複数の検索条件Ｃ１，Ｃ２，・・・間の優先順位を、表示設定画面を介して統括管理者が自由に定義することができるようになっている。
【０１４２】
従って、例えば、統括管理者は、異常の発生の有無だけを確認したい場合には、上記検索条件Ｃ１のみを有効化すればよい。
【０１４３】
また、例えば、検索条件Ｃ２を運転中であることとし、検索条件Ｃ３を設定温度が標準値よりも低く、かつ、運転中であることとすると、以下のような監視が可能になる。
【０１４４】
すなわち、検索条件Ｃ２のみを有効化すると、運転中の室内ユニット１０ａ，１０ｂ，・・・又は運転中の室内ユニット１０ａ，１０ｂ，・・・が存在している空間に対応するアイコンの色のみが変わることになる。従って、ある室内ユニット１０ａ，１０ｂ，・・・が消し忘れられていること、あるいは、ある空間内に消し忘れの室内ユニット１０ａ，１０ｂ，・・・が存在していることを容易に判断することができる。
【０１４５】
また、検索条件Ｃ１〜Ｃ３を全て有効化した上で、優先順位をＣ１＞Ｃ２＞Ｃ３とすると、異常の発生と、消し忘れと、設定温度が不適切であることとを全て監視することができる。より具体的には、異常が発生した場合には、そのことがオブジェクトＯ１〜Ｏ６の表示形式に最優先で反映され、次に、無駄に電力消費される可能性のある室内ユニット１０ａ，１０ｂ，・・・の存在が反映される。
【０１４６】
つまり、上記実施形態では、統括管理者の監視目的に応じて表示形式を自由に切り替えることができるようになっている。
【０１４７】
〈変形例〉
（１）
上記実施形態では、親コントローラ３０による管理上、施設１が３階層の空間として階層化されているが、２階層又は４階層以上の空間として階層化されていてもよい。
【０１４８】
（２）
上記実施形態において、親コントローラ３０が、親コントローラ３０をサーバコンピュータとするクライアントコンピュータに、上記管理画面および表示設定画面を提供するようになっていてもよい。また、当該クライアントコンピュータは、ＬＡＮ５ａ内の端末であってもよいし、ＬＡＮ５ａ外の端末、例えば、インターネットを介して接続される施設１外の遠隔の端末であってもよい。なお、親コントローラ３０がＷｅｂサーバ機能を有する場合には、当該クライアントコンピュータはブラウザ機能を有する端末であれば足りることになる。
【０１４９】
さらに、かかる変形例においては、検索条件Ｃ１，Ｃ２，・・・の有効化、ならびに有効化されている検索条件Ｃ１，Ｃ２，・・・間の優先順位の決定は、親コンピュータ３０にログインする権限が与えられている利用者ＩＤごと（あるいは、クライアントコンピュータごと）に可能となっていてもよい。例えば、かかる場合、親コンピュータ３０本体又はクライアントコンピュータを介して管理者が表示設定画面上で編集した情報は、検索条件Ｃ１，Ｃ２，・・・の本体データおよび利用者ＩＤの両方に関連付けられた態様で記憶部３５内のデータベースに格納される。そして、親コンピュータ３０は、上記管理画面および表示設定画面の表示要求を受け取ると、当該アクセス元の利用者ＩＤを判断し、上記データベース内の当該利用者ＩＤに関連付けられている情報に従って画面表示を行う。
【０１５０】
ここでは、親コントローラ３０以外の端末から室内ユニット１０ａ，１０ｂ，・・・を監視することが可能になる。さらに、管理者が複数存在する場合に、それぞれの希望する形式の画面表示を実現することができる。
【０１５１】
（３）
上記実施形態では、室内ユニット１０ａ，１０ｂ，・・・の状態に合わせて、オブジェクトＯ１〜Ｏ６の色が変更されるようになっている。しかしながら、色だけでなく、形状又は模様あるいはこれらの組合せが変更されるようになっていてもよい。
【０１５２】
（４）
上記実施形態では、検索条件Ｃ１，Ｃ２，・・・を任意に設定可能であるとしたが、抽出条件又は除外条件のいずれか一方のみを変更できるようになっていてもよい。
【０１５３】
（５）
上記実施形態において、親コントローラ３０が、施設１の遠隔にあるサービスセンター等に設置されている遠隔管理サーバに、インターネット等を介して接続されていてもよい。さらに、当該遠隔管理サーバには、施設１以外の多数の物件に設置されている多数の各種コントローラが接続されるようになっていてもよい。
【０１５４】
（６）
上記実施形態において、子コントローラ２０ａ，２０ｂ，・・・が省略されてもよい。すなわち、室内ユニット１０ａ，１０ｂ，・・・が子コントローラ２０ａ，２０ｂ，・・・を介さずに親コントローラ３０に直接接続され、子コントローラ２０ａ，２０ｂ，・・・による処理の全部又は一部を親コントローラ３０が担うようになっていてもよい。
【０１５５】
（７）
上記実施形態において、群管理システム１００が、照明装置、給排水装置、加湿器、昇降機、防犯装置等の空調設備以外の設備機器を管理するようになっていてもよい。また、空調設備を含む又は含まない複数種類の設備機器を管理するようになっていてもよい。
【０１５６】
かかる場合、例えば、特定の種類の設備機器であることを除外条件とし、運転中であることを抽出条件とする検索条件Ｃ１，Ｃ２，・・・を設定することができる。当該検索条件Ｃ１，Ｃ２，・・・の下では、アイコンの色から、特定の種類の設備機器のみの消し忘れをチェックすることができる。なお、このような検索条件Ｃ１，Ｃ２，・・・を設定するためには、例えば、基本情報データベース３５ｂに、機器の種別を示す値を格納するための「種別」フィールド等が定義されている必要がある。
【０１５７】
（８）
上記実施形態において、管理画面を介して、室内ユニット１０ａ，１０ｂ，・・・と同様に、室外ユニットについても管理できるようになっていてもよい。
【０１５８】
（９）
上記実施形態では、領域Ａ１内のツリー構造Ｔ上では、オブジェクトＯ１〜Ｏ３を同時に１つしか選択できないものとなっている。しかしながら、オブジェクトＯ１〜Ｏ３を同時に複数個選択可能とし、領域Ａ２内には同時に選択された複数個のオブジェクトＯ１〜Ｏ３に対応する模式図を並べて表示するようにしてもよい（図１２参照）。
【０１５９】
かかる場合、領域Ａ２内では、個々の模式図が相対的に小さく表示されるため、模式図を部分的に拡大表示する「虫眼鏡」機能を設けることが好ましい。
【０１６０】
また、同時に選択する方法としては、選択したいオブジェクトＯ１〜Ｏ３を含む領域を入力部３４のマウスで矩形にドラッグする方法等が採用可能である。
【０１６１】
（１０）
上記実施形態において、領域Ａ２内に建物１ａ，１ｂ，・・・の模式図が表示されている間に、当該図上のあるオブジェクトＯ４に所定の操作（例えば、入力部３４のマウスのカーソルを当てている状態で右クリックする）が加えられると、当該オブジェクトＯ４に対応する空間の構造を示すツリー構造が、当該オブジェクトＯ４の傍に表示されるようになっていてもよい（図１３参照）。
【０１６２】
さらに、かかる新たなツリー構造は、領域Ａ１内のツリー構造の一部分を切り取ったものと同様の形態を有し、その構成要素である個々のオブジェクトを選択できるようになっていてもよい。
【０１６３】
（１１）
上記実施形態では、ツリー構造Ｔを縦長に展開するものとしたが、横長に展開してもよい（図１４参照）。かかる場合、通常、パーソナルコンピュータの画面は横長であるため、ツリー構造が１画面に収まり易くなる。
【０１６４】
（１２）
子コントローラ２０ａ，２０ｂ，・・・および親コントローラ３０が取得し、記憶する情報は、上記実施形態に示されたものに限られない。
【０１６５】
例えば、親コントローラ３０が、圧縮機の周波数、ファンの回転数、冷媒回路の適当な箇所における冷媒の温度および圧力等を示す情報等を、子コントローラ２０ａ，２０ｂ，・・・を介して取得するようになっていてもよい。
【０１６６】
さらに、親コントローラ３０の監視部３２ａが、当該情報に基づいて独自のロジックで異常を検出し、当該検出の結果が検索条件Ｃ１，Ｃ２，・・・に利用され、オブジェクトＯ１〜Ｏ６の形態に反映されるようになっていてもよい。
【０１６７】
（１３）
上記実施形態では、オブジェクトＯ１〜Ｏ６（特に、ツリー構造Ｔｓに含まれるオブジェクトＯ１〜Ｏ３）は、階層構造を有する見取図データベース３５ａのデータ構造に従って自動的に作成されるようになっている。しかしながら、オブジェクトＯ１〜Ｏ６は、見取図データベース３５ａではなく、基本情報データベース３５ｂ内の室内ユニット１０ａ，１０ｂ，・・・の機器ＩＤに従って、自動的に作成されるようになっていてもよい。
【０１６８】
例えば、室内ユニット１０ａ，１０ｂ，・・・の機器ＩＤが「施設１建物１ａ４階北側０Ａ」となっている場合に、機器ＩＤを「施設１」−「建物１ａ」−「４階北側」−「０Ａ」というように所定のルールで自動的に文節し、「施設１」に対応するオブジェクトＯ１、「建物１ａ」に対応するオブジェクトＯ２，Ｏ４、「４階北側」に対応するオブジェクトＯ３，Ｏ５、「０Ａ」に対応するオブジェクトＯ６を自動的に作成してもよい。
【０１６９】
かかる変形例では、室内ユニット１０ａ，１０ｂ，・・・の機器ＩＤを所定のルールに従って命名するだけで容易にツリー構造Ｔｓを作成することが可能になり、特に、室内ユニット１０ａ，１０ｂ，・・・が多数存在し、ツリー構造Ｔｓが大きくなる場合には有用である。
【０１７０】
（１４）
上記実施形態では、ツリー構造Ｔｓは、施設１の現実の物理的な空間構造に対応するように階層的に組み立てられている。しかしながら、ツリー構造Ｔｓを、論理的な空間構造に対応する階層構造としてもよい。例えば、「廊下」というオブジェクトの下位に、複数の建物１ａ，１ｂ，・・・の廊下に対応する複数のオブジェクトを配置し、「教室」というオブジェクトの下位に、教室に対応する複数のオブジェクトを配置するようしてもよい。つまり、現実に物理的に離れた空間どうしをまとめて、より上位の空間とすることができる。
【０１７１】
なお、ツリー構造Ｔｓを論理的な空間構造に対応させる場合にも勿論、変形例（１３）のように、ツリー構造Ｔｓを自動作成することができる。
【０１７２】
（１５）
上記実施形態では、見取図データベース３５ａは、階層構造を有するデータベースとなっているが、かかる形式に限定されない。例えば、見取図データベース３５ａは、見取図のみを格納するデータベースと、当該見取図の階層構造、すなわち、施設１の空間構造を管理する情報を格納するデータベースとから構成されるようになっていてもよい。
【０１７３】
（１６）
表示設定画面へと遷移する手段は、上記実施形態のボタンＢ６の態様に限定されない。例えば、同様のボタンが左側の領域Ａ１の下方に配置されていてもよいし、右側の領域Ａ３の「設定」ボタンＢ３が押下されることにより遷移する設定画面内からさらに遷移できるようになっていてもよい。
【０１７４】
また、表示設定画面の態様も、上記実施形態に限定されない。例えば、統括管理者に優先順位を指定させるために、検索条件Ｃ１，Ｃ２，・・・のリストを表示した上で統括管理者に有効化したい条件式にチェックを付けさせる態様にしてもよいし、あるいは統括管理者に番号を入力させる態様にしてもよい。
【図面の簡単な説明】
【０１７５】
【図１】本発明の一実施形態に係る親コントローラを含む群管理システムの構成を示す図。
【図２】室内ユニットの構成を示す図。
【図３】子コントローラの構成を示す図。
【図４】親コントローラの構成を示す図。
【図５】見取図データベースのデータ構造を示す図。
【図６】基本情報データベースのデータ構造を示す図。
【図７】運転情報データベースのデータ構造を示す図。
【図８】異常履歴データベースのデータ構造を示す図。
【図９】施設全体に対応するオブジェクトが選択されている状態の管理画面を示す図。
【図１０】ある建物に対応するオブジェクトが選択されている状態の管理画面を示す図。
【図１１】ある単位空間に対応するオブジェクトが選択されている状態の管理画面を示す図。
【図１２】変形例（９）に係る管理画面を示す図。
【図１３】変形例（１０）に係る管理画面を示す図。
【図１４】変形例（１１）に係る管理画面を示す図。
【図１５】表示設定画面を示す図。
【符号の説明】
【０１７６】
１  敷地
１ａ，１ｂ，・・・  建物
１０  空調設備
１０ａ，１０ｂ，・・・  室内ユニット（設備機器）
２０  子コントローラ
３０  親コントローラ（機器管理装置）
３２  制御部
３２ｃ  条件判定部
３２ｄ  第１表示制御部
３２ｅ  第２表示制御部
３４  入力部（設定入力部）
Ｏ１〜Ｏ６オブジェクト
Ｃ１，Ｃ２，・・・  検索条件（所定の条件）
Ｔ  ツリー構造